(57)【要約】  スプレーガン（３２）と共に使用するための貯蔵容器システム（５０）である。システムは、カップレセプタクル（６０）及び蓋（６２）を含む。蓋（６２）は、蓋本体（７０）及びカラー（６８）を含む。蓋本体（７０）は、噴出孔（７２）及び噴出孔（７２）を取り囲むプラットフォーム（２５０）を提供する。プラットフォーム（２５０）の少なくとも一部は、噴出孔（７２）の中心軸の周りを回転する部分らせん形を形成する。カラー（６８）は、蓋本体（７０）に回転可能に接続される。更に、カラー（６８）は、蓋（６２）をカップレセプタクル（６０）に接続するように構成された蓋コネクタ構造を含む。いくつかの実施形態では、貯蔵容器システム（５０）は、アダプタ（５４）、プラグ（６００）及びシェーカーコア（７００）のうちの１つ以上を更に含む。
2020513312.tif 000002
【特許請求の範囲】
【請求項１】
スプレーガン貯蔵容器システムのための蓋であって、
蓋本体を備え、前記蓋本体が、
噴出孔と、
前記噴出孔を少なくとも部分的に取り囲むプラットフォームであって、主平面と、前記主平面に対して傾斜し、かつ、前記噴出孔の中心軸の周りを旋回する部分らせん形状と、を画定する前記プラットフォームと、
前記プラットフォームに隣接する外面を備え、かつ、前記プラットフォームの前記主平面に対して傾斜している部分を備える壁と
を備え、前記部分らせん形状が、前記壁の前記外面の前記傾斜部分を遮断する、蓋。
【請求項２】
前記壁の前記外面の前記傾斜部分がドーム形状を含む、請求項１に記載の蓋。
【請求項３】
前記壁の前記外面の前記傾斜部分が円錐形状を含む、請求項１に記載の蓋。
【請求項４】
前記部分らせん形状の第１の端部が、前記主平面への移行領域に近接し、前記部分らせん形状の第２の端部が、前記壁の前記外面の前記傾斜部分を遮断する、請求項１に記載の蓋。
【請求項５】
前記部分らせん形状の前記第２の端部が、保持特徴で終端する、請求項４に記載の蓋。
【請求項６】
前記蓋本体に回転可能に接続されたカラーを更に備える、請求項１に記載の蓋。
【請求項７】
前記カラーが、適合するカップレセプタクルに前記蓋を接続するように構成された蓋コネクタ構造を含む、請求項６に記載の蓋。
【請求項８】
スプレーガン貯蔵容器システムのための蓋であって、
噴出孔及び前記噴出孔を少なくとも部分的に取り囲むプラットフォームを備える蓋本体であって、前記プラットフォームの少なくとも一部が、前記噴出孔の中心軸の周りを旋回する部分らせん形状を形成する、前記蓋本体と、
前記蓋本体に回転可能に接続されたカラーと、
を備え、前記カラーが、適合するカップレセプタクルに前記蓋を接続するように構成された蓋コネクタ構造を含む、蓋。
【請求項９】
前記プラットフォームが主平面を画定し、前記部分らせん形状が前記主平面に対して傾斜し、更に、前記蓋本体が、前記プラットフォームに隣接する外面を備えるとともに前記プラットフォームの前記主平面に対して傾斜している部分を備える壁を含み、更には、前記部分らせん形状が前記壁の前記外面の前記傾斜部分を遮断する、請求項８に記載の蓋。
【請求項１０】
前記壁の前記外面の前記傾斜部分がドーム形状を含む、請求項９に記載の蓋。
【請求項１１】
前記壁の前記外面の前記傾斜部分が円錐形状を含む、請求項９に記載の蓋。
【請求項１２】
前記部分らせん形状の第１の端部が前記主平面への移行領域に近接し、前記部分らせん形状の第２の端部が、前記壁の前記外面の前記傾斜部分を遮断する、請求項９に記載の蓋。
【請求項１３】
前記部分らせん形状の前記第２の端部が、保持特徴で終端する、請求項１２に記載の蓋。
【請求項１４】
スプレーガンと共に使用するための貯蔵容器システムであって、
カップレセプタクルと、
蓋と
を備え、前記蓋が、
噴出孔及び前記噴出孔を取り囲むプラットフォームを提供する蓋本体であって、前記プラットフォームの少なくとも一部が、前記噴出孔の中心軸の周りを旋回する部分らせん形状を形成する、前記蓋本体と、
前記蓋本体に回転可能に接続されたカラーと
を含み、前記カラーが、前記蓋を前記カップレセプタクルに接続するように構成された蓋コネクタ構造を含む、貯蔵容器システム。
【請求項１５】
前記カップレセプタクルが、基部端から開放端まで延びるとともに内部空洞を画定する円筒状の側壁を含み、更に、前記カップレセプタクルの外部から前記内部空洞の内容物を見るために、前記内部空洞に対して開いている開口が前記側壁中に画定され、更には、前記開口が不均一な円周方向の幅を有する、請求項１４に記載の貯蔵容器システム。
【請求項１６】
前記開口が、前記基部端に近接する第１の側から前記開放端に近接する反対側の第２の側まで延び、更に、前記第１の側の前記開口の円周方向の幅が、前記第２の側の前記開口の円周方向の幅より広い、請求項１５に記載の貯蔵容器システム。
【請求項１７】
蓋本体が、連続するドーム形状を画定する外面を含み、更に、前記プラットフォームが、第１の端部から第２の端部まで延びる第１のランプセグメントを有するランプ表面を画定し、前記第１の端部が、前記蓋の直立方向に対して長手方向に前記第２の端部の上方に存在し、更には、前記ランプ表面セグメントが、前記外面の前記ドーム形状中に突出する、請求項１４に記載の貯蔵容器システム。
【請求項１８】
前記ランプ表面が、第１の端部から第２の端部まで延びる第２のランプセグメントを更に含み、前記第２のランプセグメントの前記第１の端部が、前記第１のランプセグメントの前記第２の端部に隣接し、かつ、長手方向の上方に存在し、更に、前記蓋本体が、前記第１及び第２のランプセグメントの交点にアンダーカットを形成し、前記アンダーカットが、前記外面の前記ドーム形状中に突出する、請求項１７に記載の貯蔵容器システム。
【請求項１９】
前記第１の端部における前記第１のランプセグメントの半径方向の幅が、前記第２の端部における前記第１のランプセグメントの半径方向の幅より狭い、請求項１７に記載の貯蔵容器システム。
【請求項２０】
前記カラーが、リングと、前記リングの下側から突出する複数のタブとを含み、前記蓋コネクタ構造の一部が、前記タブのうちの少なくとも１つによって支持され、更に、前記リングが可変の半径方向の幅を有する、請求項１４に記載の貯蔵容器システム。
【請求項２１】
前記タブのうちの円周方向に隣接するタブどうしが、円周方向の開口によって分離され、更に、前記リングの半径方向の幅が、前記円周方向の開口のうちの少なくとも１つと長手方向に整列した位置で狭くなる、請求項２０に記載の貯蔵容器システム。
【請求項２２】
前記リングが、前記タブのうちの対応する１つと整列される少なくとも１つのスロットを画定する、請求項２０に記載の貯蔵容器システム。
【請求項２３】
前記噴出孔をスプレーガン入口と選択的に接続するように構成されたアダプタを更に備える、請求項１４に記載の貯蔵容器システム。
【請求項２４】
前記蓋及び前記アダプタが、前記アダプタを前記蓋に選択的に取り付けるための相補コネクタ特徴を含む、請求項２３に記載の貯蔵容器システム。
【請求項２５】
前記アダプタが、管状部材と、前記管状部材から突出する基部とを含み、更に、前記管状部材が端部で終端し、前記基部が、前記端部の反対側のトラック面を画定し、更には、前記トラック面の少なくとも一部が、前記プラットフォームの前記部分らせん形状と対応する部分らせん形状を形成する、請求項２３に記載の貯蔵容器システム。
【請求項２６】
前記アダプタが、前記基部の外面から突出する少なくとも１つのロック構造を更に含む、請求項２３に記載の貯蔵容器システム。
【請求項２７】
前記少なくとも１つのロック構造が、第１の端部から反対側の第２の端部まで延び、当接面、前記当接面の反対側の上面、及び前記基部の反対側の案内面を画定し、更に、前記第１の端部から前記第２の端部までの延長における前記当接面の幾何構造が、前記第１の端部から前記第２の端部までの延長における前記上面の幾何構造とは異なる、請求項２６に記載の貯蔵容器システム。
【請求項２８】
前記上面が、前記第１の端部から延びる挿入セクションと、前記挿入セクションから前記第２の端部の方向に延びるロックセクションとを画定し、更に、前記挿入セクションセグメントによって画定される主平面が、前記ロックセクションによって画定される主平面と非共面である、請求項２７に記載の貯蔵容器システム。
【請求項２９】
前記上面が、前記ロックセクションから前記第２の端部の方向に延びるテールセクションを更に画定し、更に、前記テールセクションによって画定される主平面が、前記ロックセクションによって画定される前記主平面と非共面である、請求項２８に記載の貯蔵容器システム。
【請求項３０】
前記テールセクションの形状が部分らせんである、請求項２９に記載の貯蔵容器システム。
【請求項３１】
前記案内面が、前記第１の端部から延びる第１の領域、及び前記第１の領域から前記第２の端部の方向に延びる第２の領域を画定し、更に、前記第１の領域が、前記管状部材の中心線に対して均一な半径を画定し、更には、前記第２の領域が、前記第１の領域から前記第２の端部に向かう延長における前記中心線に対して先細り半径を画定する、請求項２７に記載の貯蔵容器システム。
【請求項３２】
前記蓋が、前記蓋に対する前記アダプタの回転時に、前記少なくとも１つのロック構造と係合するように構成された少なくとも１つの保持構造を更に含む、請求項２６に記載の貯蔵容器システム。
【請求項３３】
前記噴出孔を選択的に封止するためのプラグを更に備え、前記プラグがプラグ本体及びリップを含み、前記プラグ本体が、前端の反対側の閉端を画定し、更に、前記リップが前記前端から半径方向に突出し、更には、前記リップが複数の把持タブを画定する、請求項１４に記載の貯蔵容器システム。
【請求項３４】
前記複数の把持タブが互いに等距離で離間している、請求項３３に記載の貯蔵容器システム。
【請求項３５】
前記複数の把持タブが正確に３つの把持タブを含む、請求項３３に記載の貯蔵容器システム。
【請求項３６】
前記プラグ本体が、前記閉端から前記前端までの延長における階段状外径を画定する、請求項３３に記載の貯蔵容器システム。
【請求項３７】
前記蓋に選択的に取り付けるように構成されたシェーカーコアを更に備え、前記シェーカーコアが、前記カラーに取り付けられると、前記シェーカーコアが前記噴出孔を越えて延びるよう、長手方向の長さを有する、請求項１４に記載の貯蔵容器システム。
【請求項３８】
前記シェーカーコアが、互いに反対側の第１及び第２の端部を画定し、更に、前記第１の端部における前記シェーカーコアの内径が、前記第２の端部における前記シェーカーコアの内径より大きい、請求項３７に記載の貯蔵容器システム。
【請求項３９】
前記シェーカーコアが、前記第１の端部に隣接するハブから半径方向内側に突出する環状ショルダーを更に含み、前記環状ショルダーが、前記カラーの対応する表面に当接するためのレッジを画定する、請求項３８に記載の貯蔵容器システム。
【請求項４０】
前記シェーカーコアが、前記レッジから前記第１の端部の方向に突出する少なくとも１つのキーボディを更に含み、前記キーボディが、前記カラーによって画定される対応するノッチ内に受け入れられるように構成される、請求項３９に記載の貯蔵容器システム。
【発明の詳細な説明】
【背景技術】
【０００１】
本開示は、スプレーガンなどの液体噴霧装置に関する。より詳細には本開示は、スプレーガンに液体を含有し、かつ、供給するために使用される貯蔵容器システムに関する。
【０００２】
液体スプレーガンは、ステイン、プライマー、ペイント、シーラー、等々などのコーティング材を表面に噴霧するために広く使用されている。例えばスプレーガンは、事故後に修理された車両を再塗装する際に車体修理店で広範囲に使用されている。知られているスプレーガンでは、液体は、ガンに取り付けられた貯蔵容器又はカップに含有されており、そこから液体が噴霧ノズルに供給される。液体は、重力供給又は吸引供給することができ、あるいは最近では貯蔵容器へのエアブリードラインによってスプレーガンへの圧縮空気ラインから、あるいはスプレーガン自体から圧力供給することも可能である。
【発明の概要】
【０００３】
従来、液体は、スプレーガンに取外し可能に取り付けられた硬質貯蔵容器またはポットに収容されている。この方法によれば、洗浄又は交換のためにポットを取り外すことができる。ポットは、以前は空の状態でガンに固着され、かつ、取外し可能な蓋が具備され、それによりガンに取り付けられた状態で所望の液体をポットに加えることができた。噴霧が終了すると、ポットを取り外し、再使用するためにガン及びポットを洗浄することができる。
【０００４】
ごく最近、塗装者によるより少ないペイントの混合を可能にし、ガンの洗浄に必要な技術者の時間を著しく短くすることができる貯蔵容器システムが開発された。ミネソタ州セントポールの３Ｍ  Ｃｏｍｐａｎｙ社から入手可能なＰＰＳ（商標）Ｐａｉｎｔ  Ｐｒｅｐａｒａｔｉｏｎ  Ｓｙｓｔｅｍは、従来の混合カップ及びペイントストレーナの必要性を排除する貯蔵容器を提供している。ＰＰＳ（商標）Ｐａｉｎｔ  Ｐｒｅｐａｒａｔｉｏｎ  Ｓｙｓｔｅｍ貯蔵容器は、再使用可能な外部容器すなわちカップ、上部が開いているライナー、カラー及び蓋を含む。ライナーは外部容器内の締り嵌めであり、噴霧されるペイント（又は他の液体）はライナー内に含有される。蓋は、ライナーに組み付けられ、含有されているペイントが運ばれる噴出孔又は導管を提供する。使用中、ペイントが引き出されるにつれてライナーが崩壊し、噴霧後、ライナー及び蓋を取り外すことができ、それによって、スプレーガンの次回の使用のために新しいきれいなライナー及び蓋を使用することを可能にしている。したがって必要な洗浄の量が著しく低減され、スプレーガンは、異なるペイント（又は他の噴霧可能なコーティング材）を単純な方法で容易に適用するようになっていることができる。
【０００５】
ＰＰＳ（商標）Ｐａｉｎｔ  Ｐｒｅｐａｒａｔｉｏｎ  Ｓｙｓｔｅｍは、スプレーガンに液体を含有し、かつ、供給するために使用される貯蔵容器システムの一例である。貯蔵容器すなわちカップに加えて、貯蔵容器システムは、特定の用途のために直接使用することができる、あるいは直接使用することができない、１つ、２つ以上の構成要素を含むことができる。例えば厳密な形式に無関係に、貯蔵容器すなわちポットは、スプレーガンへの取外し可能な組み付け又は取り付けを容易にする、１つ以上の接続特徴を組み込む。多くの実例では、スプレーガン及び貯蔵容器は協同するよう設計され、スプレーガンへの貯蔵容器の直接組付けを促進する相補接続形式を提供する。他の実例では、対応する貯蔵容器システムは、貯蔵容器とスプレーガンの間に使用されるアダプタを含むことになる。アダプタは、スプレーガン入口に適合する一端における第１の接続形式、及び貯蔵容器出口に適合する反対側の端部における第２の接続形式を有する。従来、どちらかの手法を使用して、標準的なねじ山接続形式によって、スプレーガンと貯蔵容器の間の解除可能な接続が達成されている。
【０００６】
アダプタ形式又はコネクタ形式に対する何らかの改善が望ましい。更に、使用者は、単独又は互いに組み合わせて、貯蔵容器システムの他の構成要素に対する改善を望んでいる。例えばカップレセプタクル、蓋、蓋とカップレセプタクルの間の接続は、スプレーガンとは別に使用されることを意図した補助構成要素と共に、全て潜在的な改善の対象である。
【０００７】
本開示の発明者らは、スプレーガン貯蔵容器システムに対して、上で言及した問題のうちの１つ以上を克服する必要があることを認識した。
【０００８】
本開示のいくつかの態様は、スプレーガン貯蔵容器システムのための蓋を対象としている。蓋は、噴出孔と、プラットフォームと、壁とを備える蓋本体を含む。プラットフォームは、噴出孔を少なくとも部分的に取り囲み、主平面及び部分らせん形状を画定する。部分らせん形状は、主平面に対して傾斜し、噴出孔の中心軸の周りを旋回する。壁は、プラットフォームに隣接する外面を含み、プラットフォームの主平面に対して傾斜する部分を含む。この点に関して、部分らせん形状は、壁の外面の傾斜部分を遮断する。いくつかの実施形態では、壁の外面は、ドーム形状又は円錐形状を含む。他の実施形態では、部分らせん形の第１の端部は、主平面への移行領域に近接し、部分らせん形の第２の端部は、壁の外面の傾斜部分を遮断する。
【０００９】
本開示の他の態様は、スプレーガン貯蔵容器システムのための蓋を対象としている。蓋は、蓋本体とカラーとを含む。蓋本体は、噴出孔及び噴出孔を取り囲むプラットフォームを提供する。プラットフォームの少なくとも一部は、噴出孔の中心軸の周りを旋回する部分らせん形状を形成する。カラーは、蓋本体に回転可能に接続される。更に、カラーは、蓋をカップレセプタクルに接続するように構成された蓋コネクタ構造を含む。
【００１０】
本開示の他の態様は、スプレーガンと共に使用するための貯蔵容器システムを対象としている。システムは、カップレセプタクルと蓋とを含む。蓋は、蓋本体及びカラーを含む。蓋本体は、噴出孔及び噴出孔を取り囲むプラットフォームを提供する。プラットフォームの少なくとも一部は、噴出孔の中心軸の周りを旋回する部分らせん形状を形成する。カラーは、蓋本体に回転可能に接続される。更に、カラーは、蓋をカップレセプタクルに接続するように構成された蓋コネクタ構造を含む。いくつかの実施形態では、カップレセプタクルは、内部空洞の内容物を見るための開口を形成する側壁を含み、開口は、不均一な円周方向の幅を有する。いくつかの実施形態では、蓋本体は、連続ドーム形状を画定する外面を含み、プラットフォームは、ドーム形状中に突出するランプ表面を画定する。いくつかの実施形態では、貯蔵容器システムは、貯蔵容器をスプレーガン入口ポートと接続するように構成されたアダプタを更に含む。関連する実施形態では、蓋及びアダプタは相補接続形式を提供する。いくつかの実施形態では、貯蔵容器システムは、噴出孔を封止するためのプラグを更に含む。関連する実施形態では、プラグは、階段状外径を有するプラグ側壁を含むことができる。いくつかの実施形態では、貯蔵容器システムは、例えば貯蔵容器をシェーカーマシンに取り付ける際に有用なシェーカーコアを更に含む。関連する実施形態では、シェーカーコアは、互いに反対側の第１の端部及び第２の端部を画定することができ、第１の端部におけるシェーカーコアの内径は、第２の端部におけるシェーカーコアの直径より小さい。
【００１１】
本開示による例示的実施形態は、以下に列挙される実施形態を同じく含むが、これらに限定されず、これらの実施形態には、便宜上、番号を付けても、あるいは付けなくてもよい。この節で具体的に列挙されていないいくつかの追加実施形態は、添付の詳細な説明の中で開示されている。
【００１２】
実施形態
１．  スプレーガン貯蔵容器システムのための蓋であって、
蓋本体を備え、蓋本体が、
噴出孔と、
噴出孔を少なくとも部分的に取り囲むプラットフォームであって、主平面と、主平面に対して傾斜し、かつ、噴出孔の中心軸の周りを旋回する部分らせん形と、を画定するプラットフォームと、
プラットフォームに隣接する外面を含み、かつ、プラットフォームの主平面に対して傾斜している部分を含む壁と
を備え、部分らせん形状が壁の外面の傾斜部分を遮断する、蓋。
【００１３】
２．  壁の外面の傾斜部分がドーム形状を含む、実施形態１の蓋。
【００１４】
３．  壁の外面の傾斜部分が円錐形状を含む、実施形態１の蓋。
【００１５】
４．  部分らせん形の第１の端部が主平面への移行領域に近接し、部分らせん形の第２の端部が壁の外面の傾斜部分を遮断する、実施形態１〜３のいずれかの蓋。
【００１６】
５．  部分らせん形の第２の端部が保持特徴で終端する、実施形態４の蓋。
【００１７】
６．  蓋本体に回転可能に接続されたカラーを更に備える、実施形態１〜５のいずれかの蓋。
【００１８】
７．  カラーが、適合するカップレセプタクルに蓋を接続するように構成された蓋コネクタ構造を含む、実施形態６の蓋。
【００１９】
８．  スプレーガン貯蔵容器システムのための蓋であって、
噴出孔及び噴出孔を少なくとも部分的に取り囲むプラットフォームを備える蓋本体であって、プラットフォームの少なくとも一部が、噴出孔の中心軸の周りを旋回する部分らせん形状を形成する、蓋本体と、
蓋本体に回転可能に接続されたカラーと
を備え、カラーが、適合するカップレセプタクルに蓋を接続するように構成された蓋コネクタ構造を含む、蓋。
【００２０】
９．  プラットフォームが主平面を画定し、部分らせん形状が、主平面に対して傾斜し、更に、蓋本体が、プラットフォームに隣接する外面を備えるとともにプラットフォームの主平面に対して傾斜する部分を備える壁を含み、更には、部分らせん形状が壁の外面の傾斜部分を遮断する、実施形態８の蓋。
【００２１】
１０．  壁の外面の傾斜部分がドーム形状を含む、実施形態９の蓋。
【００２２】
１１．  壁の外面の傾斜部分が円錐形状を含む、実施形態９の蓋。
【００２３】
１２．  部分らせん形の第１の端部が主平面への移行領域に近接し、部分らせん形の第２の端部が壁の外面の傾斜部分を遮断する、実施形態９〜１１のいずれかの蓋。
【００２４】
１３．  部分らせん形の第２の端部が保持特徴で終端する、実施形態１２の蓋。
【００２５】
１４．  スプレーガンと共に使用するための貯蔵容器システムであって、
カップレセプタクルと、
蓋とを備え、蓋が、
噴出孔及び噴出孔を取り囲むプラットフォームを提供する蓋本体であって、プラットフォームの少なくとも一部が、噴出孔の中心軸の周りを旋回する部分らせん形状を形成する、蓋本体と、
蓋本体に回転可能に接続されたカラーと
を含み、カラーが、蓋をカップレセプタクルに接続するように構成された蓋コネクタ構造を含む、貯蔵容器システム。
【００２６】
１５．  カップレセプタクルが、基部端部から開放端まで延びるとともに内部空洞を画定する円筒状側壁を含み、更に、カップレセプタクルの外部から内部空洞の内容物を見るために、内部空洞に対して開いている開口が側壁中に画定され、更には、開口が不均一な円周方向の幅を有する、実施形態１４の貯蔵容器システム。
【００２７】
１６．  開口が、基部端部に近接する第１の側から、開放端に近接する反対側の第２の側まで延び、更に、第１の側の開口の円周方向の幅が第２の側の開口の円周方向の幅より広い、実施形態１５の貯蔵容器システム。
【００２８】
１７．  蓋本体が、連続ドーム形状を画定する外面を含み、更に、プラットフォームが、第１の端部から第２の端部まで延びる第１のランプセグメントを有するランプ表面を画定し、第１の端部が、蓋の直立方向に対して長手方向に第２の端部の上方に存在し、更には、ランプ表面セグメントが外面のドーム形状中に突出する、実施形態１４〜１６のいずれかの貯蔵容器システム。
【００２９】
１８．  ランプ表面が、第１の端部から第２の端部まで延びる第２のランプセグメントを更に含み、第２のランプセグメントの第１の端部が、第１のランプセグメントの第２の端部に隣接し、かつ、長手方向の上方に存在し、更に、蓋本体が、第１のランプセグメント及び第２のランプセグメントの交点にアンダーカットを形成し、アンダーカットが外面のドーム形状中に突出する、実施形態１７の貯蔵容器システム。
【００３０】
１９．  第１の端部における第１のランプセグメントの半径方向の幅が、第２の端部における第１のランプセグメントの半径方向の幅より狭い、実施形態１７又は１８のいずれかの貯蔵容器システム。
【００３１】
２０．  カラーが、リングと、リングの下側から突出する複数のタブとを含み、蓋コネクタ構造の一部がタブのうちの少なくとも１つによって支持され、更に、リングが可変の半径方向の幅を有する、実施形態１４〜１９のいずれかの貯蔵容器システム。
【００３２】
２１．  タブのうちの円周方向に隣接するタブどうしが、円周方向の開口によって分離され、更に、リングの半径方向の幅が、円周方向の開口のうちの少なくとも１つと長手方向に整列した位置で狭くなる、実施形態２０の貯蔵容器システム。
【００３３】
２２．  リングが、タブのうちの対応する１つと整列される少なくとも１つのスロットを画定する、実施形態２０又は２１のいずれかの貯蔵容器システム。
【００３４】
２３．  噴出孔をスプレーガン入口と選択的に接続するように構成されたアダプタを更に備える、実施形態１４〜２２のいずれかの貯蔵容器システム。
【００３５】
２４．  蓋及びアダプタが、アダプタを蓋に選択的に取り付けるための相補コネクタ特徴を含む、実施形態２３の貯蔵容器システム。
【００３６】
２５．  アダプタが、管状部材と、管状部材から突出する基部とを含み、更に、管状部材が端部で終端し、基部が、端部の反対側のトラック面を画定し、更には、トラック面の少なくとも一部が、プラットフォームの部分らせん形状と対応する部分らせん形状を形成する、実施形態２３又は２４のいずれかの貯蔵容器システム。
【００３７】
２６．  アダプタが、基部の外面から突出する少なくとも１つのロック構造を更に含む、実施形態２３〜２５のいずれかの貯蔵容器システム。
【００３８】
２７．  少なくとも１つのロック構造が、第１の端部から反対側の第２の端部まで延び、かつ、当接面、当接面の反対側の上面、及び基部の反対側の案内面を画定し、更に、第１の端部から第２の端部までの延長における当接面の幾何構造が、第１の端部から第２の端部までの延長における上面の幾何構造とは異なる、実施形態２６の貯蔵容器システム。
【００３９】
２８．  上面が、第１の端部から延びる挿入セクション、及び挿入セクションから第２の端部の方向に延びるロックセクションを画定し、更に、挿入セクションセグメントによって画定される主平面が、ロックセクションによって画定される主平面と非共面である、実施形態２７の貯蔵容器システム。
【００４０】
２９．  上面が、ロックセクションから第２の端部の方向に延びるテールセクションを更に画定し、更に、テールセクションによって画定される主平面が、ロックセクションによって画定される主平面と非共面である、実施形態２８の貯蔵容器システム。
【００４１】
３０．  テールセクションの形状が部分らせんである、実施形態２９の貯蔵容器システム。
【００４２】
３１．  案内面が、第１の端部から延びる第１の領域、及び第１の領域から第２の端部の方向に延びる第２の領域を画定し、更に、第１の領域が、管状部材の中心線に対して均一な半径を画定し、更には、第２の領域が、第１の領域から第２の端部に向かう延長における中心線に対してテーパ半径を画定する、実施形態２７〜３０のいずれかの貯蔵容器システム。
【００４３】
３２．  蓋が、蓋に対するアダプタの回転時に少なくとも１つのロック構造と係合するように構成された少なくとも１つの保持構造を更に含む、実施形態２６〜３１のいずれかの貯蔵容器システム。
【００４４】
３３．  噴出孔を選択的に封止するためのプラグを更に備え、プラグがプラグ本体及びリップを含み、プラグ本体が前端の反対側の閉端を画定し、更に、リップが前端から半径方向に突出し、更には、リップが複数の把持タブを画定する、実施形態１４〜３２のいずれかの貯蔵容器システム。
【００４５】
３４．  複数の把持タブが互いに等距離で離間している、実施形態３３の貯蔵容器システム。
【００４６】
３５．  複数の把持タブが正確に３つの把持タブを含む、実施形態３３又は３４のいずれかの貯蔵容器システム。
【００４７】
３６．  プラグ本体が、閉端から前端までの延長における階段状外径を画定する、実施形態３３〜３５のいずれかの貯蔵容器システム。
【００４８】
３７．  蓋に選択的に取り付けるように構成されたシェーカーコアを更に備え、シェーカーコアが、カラーに取り付けられると、シェーカーコアが噴出孔を越えて延びるように長手方向の長さを有する、実施形態１４〜３６のいずれかの貯蔵容器システム。
【００４９】
３８．  シェーカーコアが互いに反対側の第１の端部及び第２の端部を画定し、更に、第１の端部におけるシェーカーコアの内径が、第２の端部におけるシェーカーコアの内径より大きい、実施形態３７の貯蔵容器システム。
【００５０】
３９．  シェーカーコアが、第１の端部に隣接するハブから半径方向内側に向かって突出する環状ショルダーを更に含み、環状ショルダーがカラーの対応する表面に当接するためのレッジを画定する、実施形態３８の貯蔵容器システム。
【００５１】
４０．  シェーカーコアが、レッジから第１の端部の方向に突出する少なくとも１つのキーボディを更に含み、キーボディが、カラーによって画定される対応するノッチ内に受け入れられるように構成される、実施形態３９の貯蔵容器システム。
【００５２】
更に、上で説明した貯蔵容器システムのいくつかの実施形態は、このようなシステムの構成要素（例えば、蓋、カラー、カップレセプタクル、プラグ、及び／又はシェーカーコア、等々）を組み合わせて含んでいるが、このような構成要素の組合せの特徴は、構成要素が追加的又は代替的に、独立型実施形態として考慮され得る、あるいは明示的に示されていない他の組合せで考慮され得るよう、複雑にはリンクされていないことを理解されたい。
【００５３】
本明細書において使用されているように、「液体」という用語は、ペイント、プライマー、ベースコート、ラッカー、ニス及び同様のペイント様材料、並びに材料の特性及び／又は意図された用途に応じて、霧化された形態又は霧化されていない形態で適用することができる、接着剤、シーラー、充填剤、パテ、粉末コーティング、ブラスト処理用粉末、研磨用スラリ、離型剤、及び鋳物用仕上げ剤などの他の材料を含む（それらに限定されない）、（表面を着色するように意図されているか否かにかかわらず）スプレーガンを使用して表面に塗布することができるあらゆる形態の流動性材料を意味し、「液体」という用語は、それに応じて解釈すべきである。
【図面の簡単な説明】
【００５４】
【図１】スプレーガン及び貯蔵容器を含むスプレーガンアセンブリの簡易斜視図である。
【図２】貯蔵容器及びアダプタを含む、本開示の原理による貯蔵容器システムの分解図である。
【図３】図２の貯蔵容器に対して有用なレセプタクルカップの斜視図である。
【図４】図３のレセプタクルカップの側面図である。
【図５】図２の貯蔵容器に対して有用なカラーの斜視図である。
【図６Ａ】図５のカラーの上面図である。
【図６Ｂ】線６Ｂ−６Ｂに沿って取った図６Ａのカラーの縦断面図である。
【図７】図２の貯蔵容器に対して有用な蓋本体の斜視図である。
【図８Ａ】図７の蓋本体に組み立てられた図５のカラーを含む図２の貯蔵容器に対して有用な蓋の斜視図である。
【図８Ｂ】線８Ｂ−８Ｂに沿って取った図８Ａの蓋の縦断面図である。
【図９Ａ】図３のカップレセプタクルへの図８Ａの蓋の接続を示す。
【図９Ｂ】図３のカップレセプタクルへの図８Ａの蓋の接続を示す。
【図９Ｃ】図３のカップレセプタクルへの図８Ａの蓋の接続を示す。
【図９Ｄ】図３のカップレセプタクルへの図８Ａの蓋の接続を示す。
【図１０Ａ】図７の蓋本体の上面図である。
【図１０Ｂ】図１０Ａの蓋本体の側面図である。
【図１０Ｃ】図１０Ａの蓋本体の端面図である。
【図１１】線１１−１１に沿って取った図１０Ｂの蓋本体の横断面図である。
【図１２】図１０Ａの蓋本体の一部の拡大側面斜視図である。
【図１３】線１３−１３に沿って取った図１０Ａの蓋本体の縦断面図である。
【図１４Ａ】図１０Ａの蓋本体の一部の拡大上面図である。
【図１４Ｂ】線１４Ｂ−１４Ｂに沿って取った図１４Ａの蓋本体の一部の拡大縦断面図である。
【図１４Ｃ】線１４Ｃ−１４Ｃに沿って取った図１４Ｂの蓋本体の一部の拡大縦断面図である。
【図１５Ａ】図２のアダプタの上面斜視図である。
【図１５Ｂ】図１５Ａのアダプタの上面図である。
【図１５Ｃ】図１５Ａのアダプタの側面図である。
【図１５Ｄ】図１５Ａのアダプタの端面図である。
【図１５Ｅ】図１５Ａのアダプタの縦断面図である。
【図１５Ｆ】図１５Ａのアダプタの底面斜視図である。
【図１６】図８Ａの蓋への図１５Ａのアダプタの接続を示す。
【図１７Ａ】図８Ａの蓋への図１５Ａのアダプタの接続を示す。
【図１７Ｂ】図８Ａの蓋への図１５Ａのアダプタの接続を示す。
【図１７Ｃ】図８Ａの蓋への図１５Ａのアダプタの接続を示す。
【図１７Ｄ】図８Ａの蓋への図１５Ａのアダプタの接続を示す。
【図１８Ａ】図８Ａの蓋への図１５Ａのアダプタの接続を示す。
【図１８Ｂ】図８Ａの蓋への図１５Ａのアダプタの接続を示す。
【図１８Ｃ】図８Ａの蓋への図１５Ａのアダプタの接続を示す。
【図１９Ａ】図８Ａの蓋への図１５Ａのアダプタの接続を示す。
【図１９Ｂ】図８Ａの蓋への図１５Ａのアダプタの接続を示す。
【図１９Ｃ】図８Ａの蓋への図１５Ａのアダプタの接続を示す。
【図１９Ｄ】図８Ａの蓋への図１５Ａのアダプタの接続を示す。
【図２０】本開示の貯蔵容器システムに対して有用な、本開示の原理による別のアダプタの斜視図である。
【図２１Ａ】スプレーガン入口ポートへの図２０のアダプタの接続を示す。
【図２１Ｂ】スプレーガン入口ポートへの図２０のアダプタの接続を示す。
【図２２】図２の貯蔵容器に接続された図２０のアダプタの斜視図である。
【図２３Ａ】本開示の原理による入口ポートを含むスプレーガンノズルユニットの斜視図である。
【図２３Ｂ】本開示の原理による入口ポートを含むスプレーガンノズルユニットの斜視図である。
【図２４Ａ】本開示の原理による入口ポートを含む別のスプレーガンノズルユニットの斜視図である。
【図２４Ｂ】本開示の原理による入口ポートを含む別のスプレーガンノズルユニットの斜視図である。
【図２５Ａ】本開示の貯蔵容器システムに対して有用な、本開示の原理によるプラグの斜視図である。
【図２５Ｂ】図２５Ａのプラグの上面図である。
【図２６】図２の貯蔵容器に接続され、かつ、表面上で貯蔵容器を支持する図２５Ａのプラグの側面図である。
【図２７Ａ】本開示の貯蔵容器システムに対して有用な、本開示の原理によるシェーカーコアの上面斜視図である。
【図２７Ｂ】図２７Ａのシェーカーコアの底面斜視図である。
【図２８】図２７Ａのシェーカーコアの縦断面図である。
【図２９Ａ】図２７Ａのシェーカーコアと図２の貯蔵容器との接続を示す分解図である。
【図２９Ｂ】最終組み立て時の図２９Ａのシェーカーコア及び貯蔵容器の斜視図である。
【図２９Ｃ】貯蔵容器に接続された図２５Ａのプラグと共に、図２９Ｂの接続されたシェーカーコア及び貯蔵容器の斜視図である。
【図３０Ａ】本開示の原理による別の貯蔵容器との図２７Ａのシェーカーコアの接続を示す分解図である。
【図３０Ｂ】最終組み立て時の図３０Ａのシェーカーコア及び貯蔵容器の斜視図である。
【図３１Ａ】図３０Ａの貯蔵容器に接続された図１５Ａのアダプタの斜視図である。
【図３１Ｂ】図３０Ａの貯蔵容器に接続された図２０のアダプタの斜視図である。
【発明を実施するための形態】
【００５５】
本開示のいくつかの態様は、スプレーガンに液体を供給するための貯蔵容器システム又はキットを対象としている。本開示の追加態様は、貯蔵容器の蓋などの、貯蔵容器システム又はキットに対して有用な様々な構成要素を対象としている。背景として、図１は、重力供給型のスプレーガン３２に組み立てられた本開示の原理による貯蔵容器システム３０を含むスプレーガンアセンブリ２０の一実施形態を示したものである。ガン３２は、広範囲にわたる様々な形態を想定することができ、通常、本体３４、ハンドル３６、及び本体３４の前端の噴霧ノズル３８を含む。ガン３２は、本体３４の側面に枢軸旋回可能に取り付けられる引き金４０によって手動で操作される。入口ポート４２（概略的に参照されている）は、本体３４内に形成されるか又は本体３４によって支持され、スプレーガン３２の内部噴霧導管（隠れている）と貯蔵容器システム３０の貯蔵容器４４（概略的に参照されている）の間に流体接続を確立するように構成される。貯蔵容器４４は、噴霧される液体（例えばペイント）を含有しており、入口ポート４２に接続されている（図１の図面によってほのめかされている接続は、必ずしも本開示の接続を反映していないことを理解されたい）。使用中、スプレーガン３２は、ハンドル３６の下端のコネクタ４６を介して、圧縮空気源（図示せず）に接続される。使用者が引き金４０を引くと、圧縮空気がガン３２を通って送達され、ペイントが重力の下で貯蔵容器４４からスプレーガン３２を通って、ノズル３８に送達される。その結果、ノズル３８を出る際にペイント（又は他の液体）が霧化され、ノズル３８を出る圧縮空気と共に噴霧を形成する。
【００５６】
図２は、上記背景を念頭に置いて、本開示の原理による貯蔵容器システム５０の非限定的な一例を示したものである。貯蔵容器システム５０は、貯蔵容器５２及び任意選択のアダプタ５４を含む。以下で説明されるように、１つ以上の任意選択の追加構成要素を本開示の貯蔵容器システムと共に含むことができる。図２のシステム５０の場合、貯蔵容器５２は、カップレセプタクル６０及び蓋６２を含む。いくつかの実施形態では、貯蔵容器５２はライナー６４を更に含むことができる。大まかに言えば、ライナー６４は、その形状がカップレセプタクル６０の内側の形状に対応し（かつ、締り嵌めされる）、カップレセプタクル６０の上縁に座る細いリム６６を開放端に有することができる。蓋６２は、フランジ又はカラー６８及び蓋本体７０を含む。蓋本体７０は、ライナー６４の開放端に押込み嵌めされて、蓋本体７０の周縁部がライナー６４のリム６６の上に位置するように構成される。蓋／ライナーセンブリは、以下で説明されるようにカップレセプタクル６０に解放可能に係合するカラー６８によって所定の位置に固着される。
【００５７】
蓋６２は、ライナー６４によって含有された液体が流れることができる液体出口すなわち噴出孔７２（概略的に参照されている）を形成する。使用中、ペイントが貯蔵容器５２から引き出されるにつれて、ライナー６４が軸方向に蓋６２に向かって崩壊する。空気は、ライナー６４が（例えばカップレセプタクル６０の基部内の任意選択の通気孔（隠れている）、カップレセプタクル６０の側壁の１つ以上の開口、等々を介して）崩壊するにつれて、カップレセプタクル６０に入ることができる。噴霧が完了すると、貯蔵容器５２をスプレーガン３２（図１）から取り外すことができ、カラー６８を解放し、かつ、蓋／ライナーセンブリをカップレセプタクル６０から取り外すことができる。カップレセプタクル６０は清浄な状態のままとされ、新しい蓋６２及びライナー６４と共にいつでも再使用することができる。この方法によれば、貯蔵容器５２の過度の洗浄を回避することができる。
【００５８】
アダプタ５４は、以下でより詳細に説明されるように、スプレーガン入口ポート４２（図１）への貯蔵容器５２の接続を容易にする。大まかに言えば、蓋６２は、アダプタ５４を備えた第２の相補接続形式７６（概略的に参照されている）と解放可能に接続するように構成された第１の接続形式７４（概略的に参照されている）を提供し、アダプタ５４は、スプレーガン入口ポート４２に接続するために構成されたスプレーガン境界面特徴を更に含む。貯蔵容器システム５０の構成要素は、最終組み立て時に中心軸Ａに沿って整列される。
【００５９】
カップレセプタクル６０は図３により詳細に示されている。カップレセプタクル６０は、内部空洞８２を画定する環状側壁８０を含む。側壁８０は、内部空洞８２へのアクセスを提供する開放端８４で終端する。開放端８４の反対側には基部端８６が存在している。フロア８８は、基部端８６に近接して側壁８０から半径方向内側に延びており、開口９０を画定するリング様形状を有している。開口９０は、使用中、貯蔵容器５２（図２）のための通気孔として働くことができる。それにもかかわらず、フロア８８は、ライナー６４（図２）のためのサポートとして機能するか、あるいはサポートを提供する。フロア８８は、示されているように基部端８６からわずかにオフセットさせることができ、基部端８６は、平らな作業表面へのカップレセプタクル６０の直接的な安定した載置可能にしている。いくつかの実施形態では、側壁８０及び基部端８６の開口中に１つ以上のノッチ９２を画定することができ、平らな作業表面への安定した配置を促進する円周方向に分離された複数の脚として基部端８６を効果的に形成することができる。
【００６０】
少なくとも１つの開口又は窓１００が側壁８０の厚さを貫通して形成され、この開口又は窓１００を通して空洞８２の内容物を見ることができる。いくつかの実施形態では、開口１００は、不均一又は変化する円周方向の幅を有することができる。例えば開口１００の周囲は、第２の側１０４と反対側の第１の側１０２を画定するものとして説明することができる。図４に更により明確に示されているように、第１の側１０２は、基部端８６に近接しているが、基部端８６から長手方向に間隔を隔てており、第２の側１０４は、開放端８４に近接しているが、開放端８４から長手方向に間隔を隔てている。開口１００の長手方向の延長は、第１の側１０２から延びている第１のセクション１０６、及び第１のセクション１０６から第２の側１０４まで延びている第２のセクション１０８を画定しているものとして見ることができる。第１のセクション１０６に沿った開口１００の幅（又は円周方向の幅）は、第２のセクション１０８に沿った開口１００の幅より広い。この構造によれば、第１のセクション１０６における開口１００の比較的より広い面積は、空洞８２内の液面をより容易に識別する能力を使用者に与える。より広い面積の第１のセクション１０６は、ライナー６４からの蓋６２（図２）の分解を試行する際に、ライナー６４（図２）を握るなどのために使用者の指が通るように適切にサイズ決めすることも同じく可能である（ライナー６４は、開口９０（図３）を通して握ることも同じく可能である）。より狭い面積の第２のセクション１０８も、同じく、カップレセプタクル６０が逆さまにされた際の（例えばスプレーガンに接続される際などの）空洞８２内の液面を識別する能力を使用者に与えるが、カップレセプタクル６０の構造的完全性に対する影響は最小である。言い換えると、第２の側１０４は、側壁８０が円周方向に連続し、かつ、開放端８４と開口１００の間で遮断されないよう、開放端８４から間隔を隔てている。材料のこの連続するリングは、使用者がカップレセプタクル６０を握るか、あるいは操作する可能性がより高い領域におけるカップレセプタクル６０に高められたフープ強度を提供する。同様に、さもなければ開放端８４により近接する（第１のセクション１０６と比較して）第２のセクション１０８に沿った開口１００の幅又はサイズを最小化することにより、恐らくは使用者操作領域におけるカップレセプタクル６０の所望のフープ強度が維持され、その一方で依然として液面の理解を与える。
【００６１】
図３と図４の間で相互参照すると、開口１００の両側に触覚フィードバック部材１１０ａ、１１０ｂ（例えば外側に向かって突出するリブ）を形成するか、あるいは提供することができる。触覚フィードバック部材１１０ａ、１１０ｂは、使用者が自身の手を適切に位置決めし、開口１００を介したライナー６４（図２）への不注意な過剰圧力の印加（強く握ることなどによる）を回避することができるよう、使用者がカップレセプタクル６０を見なくても自身が開口１００に隣接する領域を握っていることが分かるようにしている。ペイントが満たされている場合にライナー６４を強く握ると、ペイントがこぼれる原因になり得ることが分かっている（ペイントが上に向かって強制され、ライナー６４の開放端から外に出ることによって、あるいはライナー６４の開放端の過剰な変形によって蓋６２（図２）がライナー６４から予期せずに分離されることによって）。
【００６２】
図３及び図４の実施形態では、更に、カップレセプタクル６０は、開放端８４の近傍にレセプタクルリム１１８及びレセプタクル接続構造１２０を備えていることが分かる。以下でより詳細に説明されるように、レセプタクル接続構造１２０は、カラー６８（図２）を介したカップレセプタクル６０への蓋６２（図２）の固着を可能にしている。レセプタクル接続構造１２０は、部分ねじ山と同類の複数のレセプタクル係合部材１２２を含むことができる。レセプタクル係合部材１２２の各々は、互いに反対側の前端と後端１２４、１２６の間で延びている。前端１２４は、前端１２４が後端の「上方」に存在している（図３及び４の直立方向に対して）と見なすことができるよう、後端１２６と比較して開放端８４により近接している。カム表面１２８は、前端１２４と後端１２６の間に画定され、示されているように直線的に傾斜させることができ、あるいは平ら（傾斜していない）であっても、湾曲していてもよく、あるいは傾斜部分、平坦部分及び／又は湾曲部分の任意の組合せを備えることも可能である。いくつかの実施形態では、レセプタクル係合部材１２２の形状は、前端１２４から後端１２６まで均一である（すなわちレセプタクル係合部材１２２全体は、連続する部分ねじ山である）。カム表面１２８は、特定の構成に無関係に、ライナー６４（図２）が蓋６２とカップレセプタクル６０の間の封止関係で保持されるよう、カップレセプタクル６０へのカラー６８（したがって蓋６２）の確実な取付けを可能にするべく、カラー６８上の相補構造と相互作用するように適合される。この点に関して、及び以下で明らかにされる理由で、レセプタクル係合部材１２２のうちの隣接するレセプタクル係合部材１２２、互いに円周方向に間隔を隔ててギャップ１３０を確立している（そのうちの１つが図４に識別されている）。
【００６３】
いくつかの実施形態では、カップレセプタクル６０は、重合材料又はプラスチック材料で形成することができ、成形構成要素であってもよい。非限定的な一例では、カップレセプタクル６０は、ポリプロピレンであるか、あるいはポリプロピレンを含むが、任意の他の重合体、共重合体、重合体の組合せ、等々も同様に許容可能である。更に他の実施形態では、カップレセプタクル６０は金属である。更に、カップレセプタクル６０は、カップレセプタクル６０内の内容物の観察を促進するために、透明、半透明又は透光性になるように形成することができる。他の実施形態では、カップレセプタクル６０を形成する（例えば成形する）ために使用される材料は、所望の色を提供するように選択された色合い又は顔料を含むことができる。
【００６４】
図２に戻ると、カラー６８は、最初に蓋本体７０とは独立して形成することができ、次に蓋本体７０に取り付けられて完全な蓋６２が形成される。これを念頭に置いて、図５にカラー６８がより詳細に示されており、カラー６８はリング１４０及び蓋接続構造１４２（概略的に参照されている）を含むか、又は画定する。大まかに言えば、リング１４０は、蓋本体７０（図３）によって回転可能に受け取られるように構成される。蓋接続構造１４２は、カップレセプタクル６０（図３）のレセプタクル接続構造１２０（図３）との境界面を選択的に形成するように構成され、リング１４０から突出する１つ以上のタブ１４４によって形成又は保持することができる。
【００６５】
図６Ａを更に参照すると、リング１４０は、内縁１５２によって画定される中央開口１５０を画定する。内縁１５２は、円又は実質的に円形の形状（すなわち真円の５％以内）を画定することができる。リング１４０の外縁１５４は内縁１５２の反対側に存在し、リング１４０の半径方向の幅は、内縁１５２と外縁１５４の間の半径方向の距離（中心軸Ａに対して）として画定される。いくつかの実施形態では、リング１４０は、変化する半径方向の幅を有する。言い換えると、中心軸Ａに対して直角の平面（すなわち図６Ａの平面図）では、リング１４０は、不均一な半径方向の幅を有している。例えばリング１４０はタブ部分１５６を形成又は画定する。タブ部分１５６は、リング１４０の円周の周りに対称的に配置することができ、個々のタブ部分１５６は、タブ１４４のうちのそれぞれのタブ１４４と対応する。タブ部分１５６のうちの円周方向に隣接するタブ部分１５６どうしは、ノッチ１５８によって分離されている。いくつかの実施形態では、ノッチ１５８の各々は、カラー６８の操作及び取扱いを容易にするために、使用者の指を受け入れるようにサイズ決めされ、かつ、形状化される。関連する実施形態では、ノッチ１５８は、対応する貯蔵容器システムの１つ以上の他の構成要素と境界面を形成するようにサイズ決めし、形状化し、かつ、配置することができる。それにもかかわらず、リング１４０の半径方向の幅は、ノッチ１５８の領域内で低減される（タブ部分１５６における半径方向の幅と比較して）。スロット１６０（そのうちの１つがそれぞれ図５及び図６Ａに識別されている）は、タブ部分１５６の個々の厚さを通して形成することができる。提供される場合、スロット１６０は、それぞれ対応する貯蔵容器システムの１つ以上の他の構成要素との境界面を形成するように構成することができる。更に、スロット１６０の設計は、カラー６８の特定の特徴の射出成形を容易にすることができる（例えば射出成形ツール内の摺動によるアクセスを提供し、それによりタブ１４４の内側表面への細部の形成を可能にすることによって）。
【００６６】
図５に最も良好に示されているように、フランジ回転制限特徴１６２は、リング１４０の上面からの節又は突起として形成されたカラー６８を備えることができる。フランジ回転制限特徴１６２は、内縁１５２の円周に対して互いに反対側に配置することができ、以下でより詳細に説明されるように、蓋本体７０（図２）の対応する特徴との境界面を選択的に形成するように構成される。
【００６７】
タブ１４４は、いくつかの実施形態では、それぞれがリング１４０の下側から突出する全く同じ構造を有することができる。他の実施形態では、タブ１４４は全く同じである必要はない（例えば２つの別様に構成されたタブ設計の２つの対）。タブ１４４のうちの円周方向に隣接するタブ１４４どうしは、さもなければノッチ１５８のうちの対応するノッチ１５８と相応するフランジ開口１６６（そのうちの１つが図５に識別されている）によって分離されている。フランジ開口１６６は、取付け及び取外しのために蓋６２（図２）の把持を支援するために、最終使用者の指のアクセスを提供することができる。このような補足的把持機能性は、最終使用者が手袋を着用している可能性が高い場合、及び最終使用者の手（手袋をした、又は手袋をしていない）が濡れたペイント又は他の残留物で滑りやすい可能性がある場合に、とりわけ望ましいことがある。いくつかの実施形態では、タブ１４４の各々への外側突起として１つ以上のリブ１６８を形成することができる。
【００６８】
上で言及したように、蓋接続構造１４２はタブ１４４と関連付けることができ、いくつかの実施形態では、タブ１４４の各々によって保持される蓋係合部材１７０を備えている。蓋係合部材１７０は、部分ねじ山と同類である。図６Ｂに示されているように、蓋係合部材１２２の各々は、互いに反対側の前端と後端１７２、１７４の間を延びている。後端１７４は、前端１７２が後端の「下方」に存在している（図６Ｂの直立方向に対して）と見なすことができるよう、前端１７２と比較してリング１４０により近接している。カム表面１７６は、前端１７２と後端１７４の間に画定され、示されているように直線的に傾斜させることができ、あるいは平ら（傾斜していない）であっても、湾曲していてもよく、あるいは傾斜部分、平坦部分及び／又は湾曲部分の任意の組合せを備えることも可能である。特定の構成にかかわらず、カム面１７６は、以下で説明されるように、カップレセプタクル６０（図３）上の相補構造と相互作用するように適合される。
【００６９】
いくつかの実施形態では、カラー６８は、重合材料又はプラスチック材料で形成することができ、成形構成要素であってもよい。非限定的な一例では、カラー６８は、３０％ガラス充填ポリプロピレンであるか、又は３０％ガラス充填ポリプロピレンを含むが、任意の他の重合体、共重合体、重合体の組合、等々も同様に許容可能である。更に他の実施形態では、カラー６８は金属である。更に、カラー６８は、カップレセプタクル６０（図３）内の内容物の観察を促進するために、透明、半透明、又は透光性になるように形成することができる。他の実施形態では、カラー６８を形成する（例えば成形する）ために使用される材料は、所望の色を提供するように選択された色合い又は顔料を含むことができる。
【００７０】
図２に戻ると、蓋本体７０は、通常、カラー６８との組み立てを促進して完全な蓋６２を形成する特徴、カラー６８と協働して、カップレセプタクル６０及びライナー６４への完全な蓋６２の液密取付けを促進する特徴、及びアダプタ５４（例えば、第１の接続形式７４）との接続を促進する特徴を含む。上で説明したカラー６８に鑑みて、完全な蓋６２とカップレセプタクル６０の間の関係のより完全な理解を提供するために、蓋本体７０の対応する特徴が以下で詳細に説明され、引き続いて第１の接続形式７４及びアダプタ５４が詳細に説明される。
【００７１】
蓋本体７０は、図７により詳細に示されており、噴出孔７２及び第１の接続形式７４を含む（概略的に参照されている）。更に、蓋本体７０は、壁２００、リム２０２、スカート２０４、１つ以上のライナー封止部材２０６及びフランジ保持特徴２０８を含む。壁２００は、外面２１０及び外面２１０の反対側の内面（図７では隠れているが、図９Ｄに２１２で示される）を画定する。外面２１０は、示されているように湾曲した形状又はドーム様の形状であってもよいが、他の形状及び幾何構造も同じく許容可能である（例えば円錐形）。外面２１０は、リム２０２から第１の接続形態７４及び噴出孔７２まで延びている。リム２０２は、壁２００の周囲から半径方向に外側に向かって突出している。スカート２０４は、リム２０２から長手方向に突出している。ライナー封止部材２０６は、以下で明らかにされる理由で、スカート２０４から半径方向に外側に向かって突出する１つ以上のリブである。
【００７２】
フランジ保持特徴２０８の各々は、外面２１０から外面２１０の上に突出しているフィンガー又はラッチと同類であってもよく、カラー６８（図２）を保持するように集合的に働くことができる。例えば図８Ａ及び図８Ｂは、完全な蓋６２を形成する際の蓋本体７０へのカラー６８の最終組み立てを示している。リング１４０は、壁２００及びリム２０２の上に摺動可能に配置され、フランジ保持特徴２０８は、蓋本体７０に対してカラー６８を捕獲するように集合的に働く。示されている実施形態では、カラーリング１４０とフランジ保持特徴２０８の間に回転境界面又は摺動境界面が確立され、蓋本体７０に対するカラー６８の回転を可能にする（及びその逆も同様である）。蓋本体７０に対するカラー６８の回転は、フランジ保持特徴２０８のうちの１つに対応するカラー６８を備えたフランジ回転制限特徴１６２どうしの間の選択的な当接又は境界面によって制限される。この構造によれば、カラー６８は、フランジ回転制限特徴１６２がフランジ保持特徴２０８のうちの対応する１つと当接接触するまで、蓋本体７０に対して第１の回転方向に自由に回転することができ（及びその逆も同様である）、第１の方向におけるカラー６８の試行された更なる回転により、蓋本体７０がカラー６８と共に回転することになる。
【００７３】
図８Ｂの蓋６２の断面図は、蓋本体７０へのカラー６８の最終組み立て時に、タブ１４４がリム２０２から離れる方向に延び、ハブ２０４から半径方向に間隔を隔てていることを示している。蓋係合部材１７０の各々とスカート２０４の間にクリアランスゾーンすなわちギャップ２２０が確立されている。クリアランスゾーン２２０を準備することにより、カップレセプタクル６０（図２）への蓋６２の取り付けが容易になる。
【００７４】
より具体的には、図９Ａは、カップレセプタクル６０への取付けに先立つ蓋６２の配置を反映している。基準点として、ライナー６４はカップレセプタクル６０内に配置され、したがって根本的に図では隠れており、ライナー６４のリム６６は、図９Ａでは部分的に視覚可能であり、識別されている。カラー６８は、タブ１４４の各々がカップレセプタクル６０のレセプタクル係合部材１２２どうしの間のギャップ１３０（そのうちの２つが図９Ａに大まかに識別されている）のうちの対応する１つと概ね整列するよう、カップレセプタクル６０に対して回転的に配置される。次に、図９Ｂのようにカップレセプタクル６０の上に蓋６２を降ろすことができる。この点に関して、タブ１４４は、ギャップ１３０（図９Ａ）のうちのそれぞれのギャップと整列されるため、タブ１４４の各々によって支持される蓋係合部材１７０（図５）は、レセプタクル係合部材１２２どうしの間を自由に通過する。蓋６２は、カップレセプタクル６０（及び／又はライナー６４）に対して本質的に完全に着座しているが、いずれかの部品上でカム表面と係合する前は、未だ完全に着座して締め付けられていない。「スナップ」感覚及び／又は音は、（ｉ）ライナー６４の一部がライナー封止部材２０６の上に速やかに伸張し、次に弛緩するよう、ライナー封止部材２０６（図９Ａ）がライナー６４の開放端中に速やかに前進されること、及び（ｉｉ）それに応じて蓋本体リム２０２（図７）が、蓋６２が速やかに接触する際に、ライナーリム６６／レセプタクルリム１１８に衝突することの組合せから引き出す。「スナップ」感覚又は音は、カラー６８（すなわちノッチ１５８及び対応するフランジ開口１６６）のセグメント化された構造によって更に容易にされる。カラー６８がセグメント化されていなかった場合、スナップ感覚が生じることはなさそうであり、使用者による望ましくない「過剰締付け」又はライナー６４への蓋６２のねじ込みを許容し、そうしている間にライナー６４を折り畳むことがあり得る。この簡単なスナップ感覚は、蓋６２及びライナー６４が確実に取り付けられたという触覚及び／又は聴覚による再確信を最終使用者に提供することができるが、依然としてカップレセプタクル６０に蓋６２を固着しなければならない。
【００７５】
次に、カップレセプタクル６０に対してカラー６８を回転させることができ（及び／又はその逆も同様である）、それにより蓋係合部材１７０とレセプタクル係合部材１２２のうちの対応するレセプタクル係合部材１２２との間の係合を達成することができる。例えば図９Ｃの部分断面図は、レセプタクル係合部材１２２のうちの１つと、カップレセプタクル６０に対するカラー６８の回転を伴う蓋係合部材１７０のうちの１つとの間の初期境界面を示している。初期回転では、蓋係合部材１７０の前端１７２は、レセプタクル係合部材１２２の前端１２４に向けられる。前の段落で説明したように、蓋６２がカップレセプタクル６０の上に着座してライナー６４（図２）に設置される着座配置では、蓋係合部材１７０の前端１７２は、オフセットしている、すなわちレセプタクル係合部材１２２の前端１２４の「下方」の中心軸Ａに沿った垂直位置に位置する。したがってカラー６８を更に回転させると、蓋係合部材１７０は、レセプタクル係合部材１２２の「下方」を容易に通過する。しかしながらカップレセプタクル６０に対するカラー６８の更なる回転により、レセプタクル係合部材１２２のカム面１２８は、蓋係合部材１７０のカム面１７６との境界面を直接形成する。詳細には、カラー６８の継続的な回転により、レセプタクル係合部材１２２と蓋係合部材１７０の間のカム様境界面は、中心軸Ａに沿って加えられるクランプ力を達成する。したがって中心軸Ａに沿った蓋６２及びカップレセプタクル６０のクランプ運動は、カラー６８の回転によって達成され、頑丈な接続をより良好に確保する。更に、レセプタクル係合部材１２２及び蓋係合部材１７０を図に示されているようなイージースタート部分ねじ山として任意選択で準備することにより、蓋６２の装着をより速くすることができるだけでなく、食違いねじの可能性を防止して、余分なペイントが集まってアセンブリを詰まらせる可能性のある領域の数を少なくし、洗浄を容易にすることができる。
【００７６】
図９Ｄは、完全な貯蔵容器５２を形成する際のカップレセプタクル６０への蓋６２の最終接続時に、ライナーリム６６がレセプタクルリム１１８と蓋リム２０２の間にクランプされ、液体封止を提供することを反映している。ライナー６４は、ライナー封止部材２０６とカップレセプタクル６０の間で更に伸張又はクランプされ、蓋６２とライナー６４の間の液密な封止関係を更に促進する。この封止された構造により、ライナー６４内に配置された液体（例えばペイント）がライナー６４から蓋の壁２００の内面２１２に沿って噴出孔７２へ流れる（例えば貯蔵容器５２が図９Ｄの向きから反転されると）。ペイントに対する漏れ路の形成を心配することなく、個別のカラー６８を蓋本体７０に移動可能に接続することができる。
【００７７】
いくつかの実施形態では、蓋本体７０は、重合材料又はプラスチック材料で形成することができ、成形構成要素であってもよい。非限定的な一例では、蓋本体７０はポリプロピレンであるか、あるいはポリプロピレンを含むが、任意の他の重合体、共重合体、重合体の組合せ、等々も同様に許容可能である。更に他の実施形態では、蓋本体７０は金属である。更に、蓋本体７０は、カップレセプタクル６０内の内容物の観察を促進するために、透明、半透明、又は透光性になるように形成することができる。他の実施形態では、蓋本体７０を形成する（例えば成形する）ために使用される材料は、所望の色を提供するように選択された色合い又は顔料を含むことができる。
【００７８】
図７に戻ると、第１の接続形式７４（図７に概略的に参照されている）は、プラットフォーム２５０、第１の保持構造２５２ａ及び第２の保持構造２５２ｂを含む。大まかに言えば、プラットフォーム２５０及び保持構造２５２ａ、２５２ｂは、噴出孔７２の外部の位置で蓋の壁２００の外面２１０に形成されるか、あるいはそこから突出し、アダプタ５４（図２）の第２の相補接続形式７６（図２）との選択的接続又は取付けを容易にするように集合的に構成される。
【００７９】
プラットフォーム２５０は、噴出孔７２の周りを旋回する案内表面２６０で終端するか、あるいは案内表面２６０を画定する。図１０Ａ〜図１０Ｃに最も良好に示されているように、案内表面２６０の幾何構造は、第１及び第２のアンダーカットすなわちトラップ領域２６４ａ、２６４ｂによって分離された第１及び第２の案内セグメント２６２ａ、２６２ｂを提供するものとして見ることができる。噴出孔７２の周りの案内表面２６０の回転によって画定される回転方向（時計回り又は反時計回り）に対して、第１の案内セグメント２６２ａは、第１のアンダーカット２６４ａから第２のアンダーカット２６４ｂまで時計回りの方向を円周方向に延び、リードイン領域２６６及び傾斜領域２６８を生成する幾何構造を有する。この場合、時計回りの方向に対して、リードイン領域２６６は傾斜領域２６８の「前方」又は「上流」に存在する。同様に、第２の案内セグメント２６２ｂは、第２のアンダーカット２６４ｂから第１のアンダーカット２６４ａまで時計回りの方向を円周方向に延びるものとして見ることができ、リードイン領域２６６及び傾斜領域２６８を生成する幾何構造を有する。
【００８０】
案内セグメント２６２ａ、２６２ｂは、いくつかの実施形態では、第１の案内セグメント２６２ａについての以下の説明が第２の案内セグメント２６２ｂに同様に当てはまるよう、実質的に全く同じであってもよい。第１の案内セグメント２６２ａは、第１の保持構造２５２ａと対応するように配置される。リードイン領域２６６の主平面は、実質的に平ら（すなわち真に平らな形状の５％以内）で、かつ、中心軸Ａに対して実質的に直角（すなわち真に直角関係の５％以内）であってもよい。傾斜領域２６８は、リードイン領域２６６から第２のアンダーカット２６４ｂまでの延長における長手方向の下方にテーパが付いており（図１０Ｂ及び図１０Ｃの直立方向に対して）、部分らせん形状を生成する。したがってリードイン２６６は、長手方向又は垂直方向に傾斜領域２６８「上方」（図１０Ａ及び図１０Ｂの直立方向に対して）に存在し、傾斜領域２６８の主平面は、リードイン領域２６６の主平面に対して傾斜している（中心軸Ａに対して実質的に直角ではない）。移行線すなわち領域２７０は、リードイン及び傾斜領域２６６、２６８の交点に画定され、第１の保持構造２５２ａと概ね整列される。移行２７０（並びに第２の案内セグメント２６２ｂと関連付けられた移行線２７０）は、図１１の断面図でより明確に明らかである。
【００８１】
引き続き図１１を参照すると、案内表面２６０は、中心軸Ａに対して変化する、すなわち不均一な半径方向の幅を有することができる。不均一な半径方向の幅は、円形（噴出孔７２の円筒形状に続く）である案内表面２６０の内縁２８０によって達成することができ、一方、案内表面２６０の反対側の外縁２８２は不均一な形状を有する。例えば第１の案内セグメント２６２ａのリードイン領域２６６に沿った外縁２８２の形状（図１１の上面図に対して）は、第１のアンダーカット２６４ａから傾斜領域２６８に向かう延長において徐々に大きくなる半径を有することができる。更に、傾斜領域２６８に沿った外縁２８２の形状の少なくともセグメントは、第２のアンダーカット２６４ｂまでの延長において徐々に大きくなる半径を有することができる。この任意選択の構成によれば、第２のアンダーカット２６４ｂでは、第１の案内セグメント傾斜領域２６８の半径方向の幅は、第２の案内セグメントリードイン領域２６６の半径方向の幅より広く、同様に第１のアンダーカット２６４ａでは、第２の案内セグメント傾斜領域２６８の半径方向の幅は、第１の案内セグメントリードイン領域２６６の半径方向の幅より広い。
【００８２】
第１のアンダーカット２６４ａ及び第２のアンダーカット２６４ｂは実質的に全く同じであってもよく、噴出孔７２の周りに等距離で間隔を隔てることができる。第１のアンダーカット２６４ａによって生成される幾何構造特徴は、図１２の拡大図によって提供される。上記の説明と同様、第１のアンダーカット２６４ａは、第２の案内セグメント２６２ｂの傾斜領域２６８と第１の案内セグメント２６２ａのリードイン領域２６６の間の移行部に形成されるか、あるいは移行部を画定する。ショルダーすなわち保持特徴２９０はアンダーカット２６４ａによって画定され、第１の案内セグメント２６２ａの前端２９２と第２の案内セグメント２６２ｂの後端２９４との間を延びる。ショルダー２９０の主平面は、リードイン領域２６６の主平面に対して非平行であり、かつ、傾斜領域２６８の主平面に対して非平行であり、ショルダー２９０は、第２のセグメント傾斜領域２６８の上方（図１２の直立方向に対して）で外側に突出している。
【００８３】
図７及び図１２は、いくつかの実施形態では、案内表面２６０の部分が壁２００の外面２１０の連続形状（例えばドーム様形状）中に突出するか、さもなければその逸脱を反映することを概ね示している。図１３の断面図の平面は、第１のアンダーカット２６４ａを通って取られたものであり、この任意選択の特徴をより良好に反映している。示されているように、外面２１０は、プラットフォーム２５０からリム２０２に向かう延長における連続的な傾斜形状（例えばドーム様形状、円錐形状、等々）を有している。第２の案内セグメント２６２ｂの傾斜領域２６８は、この連続形状を遮断し、後端２９４は、外面２１０の形状に対して内側に位置している。言い換えると、いくつかの実施形態では、プラットフォーム２５０は、壁２００の外面２１０から突出していると見なすことができ、案内表面２６０は主としてプラットフォーム２５０によって画定され、外面２１０によって部分的に画定される。別法としては、また図１０Ｂと図１３の間で参照すると、蓋本体７０は、噴出孔７２を少なくとも部分的に取り囲むプラットフォーム２５０を含むものとして見ることができる。プラットフォーム２５０は、プラットフォーム２５０の最上面（図１０Ｂ及び図１３の直立方向に対して）として働く少なくとも１つの領域（例えばリードイン領域２６６）を含むか、あるいはそれを形成し、プラットフォーム２５０の主平面Ｍを画定するために実質的に平らである。プラットフォーム２５０は、主平面Ｍに対して傾斜している部分らせん形状を有し、噴出孔７２の中心軸Ｃの周りを旋回する少なくとも１つの領域（例えば傾斜領域２６８）を更に含むか、あるいは形成する。壁２００の外面２１０は、プラットフォーム２５０に隣接し、プラットフォーム２５０の主平面Ｍに対して傾斜している部分（図１０Ｂ及び図１３中の２９６で大まかに識別されている）を含む。プラットフォーム２５０の部分らせん形状は、壁２００の外面２１０の傾斜部分２９６を遮断する。傾斜部分２９６は、ドーム形状、円錐形状、等々を画定するか、あるいは含むことができる。部分らせん形状の第１の端部は、主平面Ｍ（例えば図１０Ａの移行線２７０）への移行領域に近接し、部分らせん形状の反対側の第２の端部（例えば後端２９４）は、壁部２００の外面２１０の傾斜部分２９６を遮断する。いくつかの実施形態では、部分らせん形状の第２の端部（例えば後端２９４）は、保持特徴、例えばアンダーカット２６４ａ、２６４ｂのうちの１つで終端する。これらの構造によれば、蓋本体７０の全体の高さ（したがって蓋６２（図２）の全体の高さ）が短縮され（従来のスプレーガンコネクタ形式と比較して）、それにより、使用中、カップレセプタクル６０（図２）を人間工学的にスプレーガン３２（図１）のより近くに配置することができる。
【００８４】
図７に戻ると、保持構造２５２ａ、２５２ｂは、第１の保持構造２５２ａについての以下の説明が第２の保持構造２５２ｂに同様に当てはまるよう、全く同じであってもよい。第１の保持構造２５２ａは、案内表面２６０の第１のセグメント２６２ａと関連付けられ、アーム３００及びタブ３０２を含む。アーム３００は、噴出孔７２から半径向に間隔を隔てており、壁２００から上に向かって軸方向に突出している。アーム３００ａと壁２００の間に補強リブ３０４が任意選択で提供され、使用中、噴出孔７２から離れる方向へのアーム３００の偏向を制御するように働く。タブ３０２は、壁２００の反対側のアーム３００から半径方向に内側へ突出している。
【００８５】
図１４Ａを参照すると、第１の保持構造２５２ａは、互いに反対側の入口端及び出口端３１０、３１２を画定するものとして見ることができる。上で説明した回転方向に対して、入口端３１０は、出口端３１２の「前方」すなわち「上流」である。図１４Ｂ及び図１４Ｃの断面図は、獲得領域３１４が、第２の接続形式７６（図２）の対応する特徴を受け入れるために、第１の案内セグメント２６２ａ、アーム３００及びタブ３０２によって画定されることを更に示している。
【００８６】
より詳細には、アーム３００の突出がエンクロージャ表面３２０を画定する。エンクロージャ表面３２０は噴出孔７２に面しており、噴出孔７２の外部から半径方向に間隔を隔てている。タブ３０２は、エンクロージャ表面３２０に対して半径方向内側に突出し、係合表面３２２及び整列表面３２４を画定している。係合表面３２２は、第１の案内セグメント２６２ａに面しており、第１の案内セグメント２６２ａから長手方向に間隔を隔てている。整列表面３２４は噴出孔７２に面しており、噴出孔７２の外部から半径方向に間隔を隔てている。噴出孔７２と係合表面３２２の間、及び噴出孔７２と整列表面の間の半径方向の間隔の寸法は、アダプタ５４（図２）の幾何構造特徴と対応している。
【００８７】
第１の案内セグメント２６２ａ及び係合表面３２２の幾何構造は、第２の接続形式７６（図２）の対応する特徴とのくさび様固定係合を容易にするように構成される。図１４Ｃを具体的に参照すると、タブ３０２ａは、リードイン領域２６６と傾斜領域２６８の間の移行線２７０と概ね整列している。係合表面３２２の形状は、くさび化セクション３３０及び任意選択のクリアランスセクション３３２を画定している。くさび化セクション３３０は、入口端３１０から延び、リードイン領域２６６と整列されるか、あるいはリードイン領域２６６の上に配置される。クリアランスセクション３３２は、くさび化セクション３３０から出口端３１２まで延び、傾斜領域２６８と整列されるか、あるいは傾斜領域２６８の上に配置される。くさび化セクション及びクリアランスセクション３３０、３３２の交点は、移行線２７０と概ね整列される。くさび化セクション３３０に沿った係合表面３２２の主平面は、クリアランスセクション３３２に沿った主平面と共面ではない。
【００８８】
くさび化セクション３３０は、実質的に平ら（すなわち真に平らな形状の５％以内）であり、くさび化セクション３３０の平面は、リードイン領域２６６の平面と非平行である。例えばくさび化セクション３３０及びリードイン領域２６６の平面は、相俟って約１〜７０度程度、例えば１〜３０度の範囲の夾角を画定する。この構造によれば、捕獲領域３１４の長手方向の間隔又は高さは、入口端３１０から出口端３１２に向かって先細りになり、例えば移行線２７０において最小寸法まで先細りになる。この先細り又はくさび様の形状により、入口端３１０で最初に捕獲領域３１４に挿入され、次に出口端３１２に向かって導かれる剛体（アダプタ５４（図２）を備えている）が、以下で説明されるように捕獲領域３１４内に摩擦によってくさび化され、あるいは係合されるようになり得る。
【００８９】
提供される場合、クリアランスセクション３３２は、同じく実質的に平らであってもよく、クリアランスセクション３３２の平面は、傾斜領域２６８の主平面と非平行である。クリアランスセクション３３２及び傾斜領域２６８の平面は、捕獲領域３１４の長手方向の間隔又は高さが出口端３１２の方向に拡張するように配置され、例えば移行線２７０から出口端３１２まで拡張し、あるいは増加する。
【００９０】
図１４Ａを更に参照すると、保持構造２５２ａ、２５２ｂは、個々の保持構造２５２ａ、２５２ｂの捕獲領域３１４の先細りになり、次に拡張する形状が中心軸Ａに対して同じ回転方向に存在するように配置されている。例えば図１４Ａの向きに対して、第１の保持構造２５２ａの入口端部３１０は、時計回りの方向に、対応する出口端３１２の回転的に「前方」であり、同様に、第２の保持構造２５２ｂの入口端３１０は、時計回りの方向に、対応する出口端３１２の回転的に「前方」である。したがって保持構造２５２ａ、２５２ｂの各々に関連付けられた捕獲領域３１４（図１４Ａでは隠れている）は、時計回りの方向に先細りになる。図１４Ａは、個々の保持構造２５２ａ、２５２ｂの入口端３１０が、対応する捕獲領域３１４への本体の初期誘導を更に促進するための凹部又は面取りを画定することができることを更に反映している。個々の保持構造２５２ａ、２５２ｂの整列表面３２４は、示されているように実質的に平面であってもよく、噴出孔７２の円周に対して概ね正接であり、他の実施形態では整列表面３２４は、弓状又は不規則な形状を有することができる。
【００９１】
図１４Ｂを更に参照すると、保持構造２５２ａ、２５２ｂは、第２の相補接続形式７６（図２）頑丈な係合を確立し、噴出孔７２から離れている。この構造によれば、ペイントスプレーガンと共に利用される従来の流体コネクタ設計とは異なり、本開示の接続形式は、比較的大きい内径の提供を噴出孔７２に許容する。いくつかの実施形態では、噴出孔７２の内径は２０ｍｍ以上であり、別法としては２２ｍｍ以上であり、任意選択で３０ｍｍ程度である。更に、捕獲領域３１４を壁２００にきわめて接近して配置することにより、噴出孔７２の高さを従来のスプレーガン貯蔵容器コネクタ設計と比較して低くすることができる。非限定的ないくつかの実施形態では、例えば噴出孔７２の高さは５〜１５ｍｍ程度である。更に、封止特徴は、噴出孔の上に挿入された、任意選択の環状封止リブ３４０及び／又は任意選択の噴出孔封止表面３４２（例えば噴出孔７２の前端３４４の面取りされた表面又は傾斜した表面）などの構成要素（例えばアダプタ５４（図２））を使用して液密封止を達成するために噴出孔７２の上に提供することができ、あるいはそのための噴出孔７２を備えることができる。
【００９２】
図２に戻ると、第２の接続形式７６は、上で説明したように第１の接続形式７４の特徴と選択的に整合するように構成され、いくつかの実施形態では、アダプタ５４の部品として提供される。図１５Ａ〜図１５Ｄを参照すると、第２の接続形式７６（図１５Ａに概略的に参照されている）に加えて、アダプタ５４は、通常、管状部材３５０を含む。管状部材３５０は、スプレーガンの入口ポートへの接続を確立するためなどの、従来のスプレーガン貯蔵容器アダプタと同類の特徴を含むか、あるいは提供することができる。これを念頭に置いて、管状部材３５０は、様々な形態を取ることができ、中央通路３５２を画定する。通路３５２は、管状部材３５０の前端３５４で開いている。更に、管状部材３５０は、従来の（例えばねじが切られた）スプレーガン入口ポートへの組み立てを容易にする、取付け特徴を形成するか又は提供する。例えば外部ねじ山３５６は、前端３５４に隣接する管状部材３５０に外部に沿って提供することができ、スプレーガン入口ポートを備えたねじ山と、ねじ込み可能に境界面を形成するように構成される。この点に関して、外部ねじ山３５６のピッチ、輪郭及び間隔は、アダプタ５４と共に使用するよう意図されたスプレーガンの製造／モデルと関連付けられた特定のねじ山パターンに従って選択することができる。外部ねじ山３５６を含んでも、あるいは含まなくてもよい、若しくは外部ねじ山３５６を必要としても、あるいは必要としなくてもよい他のスプレーガン取付け特徴が同様に許容される。管状部材３５０は、任意選択で把持セクション３５８を更に含むか、あるいは画定することができる。把持セクション３５８は、使用者による従来のツールを使用したアダプタ５４の操作を容易にするように構成され、いくつかの実施形態では、レンチによって容易に係合するように適合された六角形の表面パターンを含むか、あるいは画定する。他の実施形態では、把持セクション３５８を省略することができる。
【００９３】
第２の接続形式７６は、基部３６０、第１のロック構造３６２ａ、第２のロック構造３６２ｂ及びトラック面３６４を含む。基部３６０は、管状部材３５０から突出し、ロック構造３６２ａ、３６２ｂ及びトラック面２６４を支持し、あるいは形成する。この場合、ロック構造３６２ａ、３６２ｂは、保持構造２５２ａ、２５２ｂ（図７）のうちの対応する保持構造との境界面を選択的に形成するように構成され、トラック面３６４は、以下で説明されるように案内表面２６０（図７）との境界面を形成するように構成される。
【００９４】
基部３６０は、ショルダー３７０及びリング３７２を含む。図１５Ｅに最も良好に示されているように、ショルダー３７０及びリング３７２は、相俟って、管状部材３５０の通路３５２に対して開き、かつ、噴出孔７２（図２）を受け入れるように構成されるチャンバ３７４を画定する。ショルダー３７０は、管状部材３５０から半径方向に外側に向かって下方に延びている。リング３７２は、管状部材３５０とは反対側の方向に、ショルダー３７０の外囲から長手方向に突出し、トラック面３６４で終端する。更に、リング３７２は、外面３８２とは反対側の円筒状内面３８０を画定する。リング３７２の内径（例えば円筒状内面３８０によって画定される直径）は、噴出孔７２の外径と対応する（例えば近似しているか、あるいはわずかに大きい）。いくつかの実施形態では、リング３７２は、噴出孔封止表面３４２（図１４Ｂ）と対応する内面３８０に沿ってアダプタ封止表面２８４を画定するか、あるいは提供することができる。リング３７２の外径は、以下で説明されるようにトラック面３６４までの延長で変化させることができ、あるいは均一であってもよい。それにもかかわらず、リング３７２の最大外径（例えば外面３８２によって画定される最大直径）は、以下で説明されるように、保持構造２５２ａ、２５２ｂ（図７）によって集合的に確立されるクリアランス直径内に入れ子になるように選択される。
【００９５】
トラック面３６４の形状の幾何構造は、蓋案内表面２６０（図７）に関して上で説明した幾何構造と同様である。詳細には、図１５Ｆを参照すると、トラック面３６４は、第１及び第２のアンダーカットすなわちトラッピング領域３９２ａ、３９２ｂによって分離された第１及び第２のトラックセグメント３９０ａ、３９０ｂを提供又は生成するものとして見ることができる。アンダーカット３９２ａ、３９２ｂの円周方向の位置及び形状は、上で説明したように蓋本体７０（図７）中のアンダーカット２６４ａ、２６４ｂ（図７）と対応する。トラックセグメント３９０ａ、３９０ｂの形状及び幾何構造は、上で説明したように案内セグメント２６２ａ、２６２ｂ（図７）と対応する。したがって例えばトラックセグメント３９０ａ、３９０ｂは、それぞれ、リードイン領域３９４及び傾斜領域３９６（図１５Ｆに第１のトラックセグメント３９０ａに対して識別されている）を生成するものとして見ることができる。アンダーカット３９２ａ、３９２ｂの形状は、トラックセグメント３９０ａと３９０ｂの間の移行部にフィンガーすなわち保持特徴４００を確立する。例えば図１５Ｆに識別されているように、第２のアンダーカット３９２ｂに画定されたフィンガー４００は、第２のトラックセグメント３９０ｂの前端４０２と、第１のトラックセグメント３９０ａの後端４０４との間を延びている。
【００９６】
いくつかの実施形態では、ロック構造３６２ａ、３６２ｂは、第１のロック構造３６２ａについての以下の説明が第２のロック構造３６２ｂに同様に当てはまるよう、全く同じである。ロック構造３６２ａは、図１５Ｂに最も良好に示されているように、リング３７２に沿った円周方向の延長において第２の端部４２２の反対側の第１の端部４２０を画定する。更に、リング３７２からのロック構造３６２ａの突起は、図１５Ｅに最も良好に識別されているように、案内面４２８と共に、上面４２６とは反対側の当接面４２４を画定するか、あるいは形成する。当接面４２４の形状は、トラック面３６４の対応する部分に追従するか、又はそれと隣接している。例えば図１５Ｆに最も良好に示されているように、第１の端部４２０において、当接面４２４は、傾斜領域３９６の中間の第１のトラックセグメント３９０ａと交差する。第１の端部４２０からの延長において、当接面４２４の形状は、角度が付いた、すなわち部分らせん配置方向の傾斜領域３９６を模倣するか、あるいは追従し、更に、当接面４２４の形状は、リードイン領域３９４の実質的に平らな、すなわち平面の形状を第２の端部４２２に模倣するか、あるいは追従する。
【００９７】
図１５Ｃを詳細に参照すると、上面４２６は、ロック構造３６２ａの高さを画定するために、当接面４２４とは長手方向反対側に形成される。いくつかの実施形態では、上面４２６の平面又は形状は、ロック構造３６２ａを形成する第１の端部４２０と第２の端部４２２の間で変化して、挿入セクション４４０、ロックセクション４４２及び任意選択のテールセクション４４４を提供する。挿入セクション４４０は上面４２６の主平面を含み、この主平面は、ロック構造３６２ａが低い高さを第１の端部４２０に有するよう、当接面４２４の対応する領域の主平面と非平行である。言い換えると、ロック構造３６２ａの高さは、第１の端部４２０からの延長で、挿入セクション４４０に沿って高くなる。いくつかの実施形態では、面取りは、第１の端部４２０において上面４２６中に形成することができ、挿入セクション４４０に沿った上面４２６の残りの部分は、当接面４２４と非平行に配置された実質的に平ら、すなわち平面である。上面４２６は、ロックセクション４４２に沿って当接面４２４の対応する領域と概ね平行であり、部分らせんと同類のリング３７２に対する形状又は幾何構造生成する（第２のロック構造３６２ｂに関連するロックセクション４４２は、部分らせん形状を更に示す図１５Ａに識別されている）。テールセクション４４４は、第２の端部４２２（図１５Ｂ）までの延長で実質的に平行である当接面及び上面４２４、４２６を含むことができる。この構造によれば、ロック構造３６２ａがリング３７２の周りを旋回する際に、中心軸Ａに対するロック構造３６２ａの垂直方向の位置が変化し、第１の端部４２０は、図の直立方向に対して第２の端部４２２の垂直方向の「下方」に存在する。
【００９８】
図１５Ｂに最も良好に示されているように、ロック構造３６２ａの半径方向の幅は、リング３７２と案内面４２８の間の半径方向（中心軸Ａに対して）の距離によって画定される。これを念頭に置いて、ロック構造３６２ａは、中心軸Ａに対して変化する、すなわち不均一な半径方向の幅を有することができる。例えば案内面４２８の形状（図１５Ｄの上面図に対して）は、均一な半径、あるいは第１の端部４２０からの延長でわずかに大きくなる半径、及び第２の端部４２２へ先細りする、すなわち小さくなる半径を画定することができ、流線形の外観を生成する。
【００９９】
いくつかの実施形態では、ロック構造３６２ａの形状は、インセットすなわち凹部４５０をロック構造３６２ａに隣接するリング３７２の面、並びに図１５Ａに識別されている任意選択の溝４５２に形成することができることにより、リング３７２から更に境界が画定され、より正確にはリング３７２に対して形成される。それにもかかわらず、ロック構造３６２ａ、３６２ｂは、空間特徴が中心軸Ａに対して同じ回転方向に存在するよう、リング３７２の周りに配置される。例えば図１５Ｂの向きに対して、個々のロック構造３６２ａ、３６２ｂの垂直方向に下側の第１の端部４２０は、時計回りの方向に、対応する垂直方向上方の第２の端部４２２の回転的に「前方」である。
【０１００】
いくつかの実施形態では、アダプタ５４は、ステンレス鋼（３０３  Ｓ３１）などの剛性材料で形成される。プラスチックなどの他の材料も同じく想定される。特定のコーティング材料及び／又は用途と共に使用するための複合材又は他の材料も同じく許容可能である。
【０１０１】
貯蔵容器５２とアダプタ５４の結合は、図１６に示されているように噴出孔７２とのリング３７２の整列で始まる。図１６の構造では、アダプタ５４は、ロック構造３６２ａ、３６２ｂが保持構造２５２ａ、２５２ｂから回転的にオフセットされるよう、回転的に配置される。次にアダプタ５４が蓋本体７０の上に導かれ（及び／又はその逆も同様である）、噴出孔７２が基部３６０内で入れ子になる。
【０１０２】
図１７Ａ及び図１７Ｂの初期組み立て状態では、上で説明したようにアダプタ５４は蓋本体７０の上に置かれており、ロック構造３６２ａ、３６２ｂは、保持構造２５２ａ、２５２ｂから回転的に間隔を隔てている。図１７Ｃは、初期配置時の蓋本体７０に対するアダプタ５４の回転配置を更に明確に説明している。時計回りの方向に対して、第１のロック構造３６２ａの第１の端部４２０は、第１の保持構造２５２ａの入口端３１０の「前方」に存在し、第２のロック構造３６２ｂの第１の端部４２０は、第２の保持構造２５２ｂの入口端３１０の「前方」に存在している。ロック構造３６２ａ、３６２ｂの拡大された半径方向の幅は、使用者による、蓋本体７０上の示されている回転位置へのアダプタ５４の初期配置を促進する。図１７Ａ及び図１７Ｂに戻ると、アダプタ５４のトラック面３６４のセクションは、蓋本体７０の案内表面２６０にもたれかかる。例えば図１７Ｄの断面は、第１のトラックセグメント３９０ａの傾斜領域３９６の一部が第１の案内セグメント２６２ａの傾斜領域２６８にもたれかかることを示している。上で説明したように、蓋本体７０の案内セグメント２６２ａ、２６２ｂに沿った、及びアダプタ５４のトラックセグメント３９０ａ、３９０ｂに沿った部分らせん形状により、アダプタ５４と蓋本体７０の間の接触のこの初期状態では、図１７Ａは、ロック構造３６２ａ、３６２ｂが保持構造２５２ａ、２５２ｂの各々の捕獲領域３１４（図１７Ａでは隠れている）の垂直方向の「上方」（図１７Ａの向きに対して）に配置されることを反映している。
【０１０３】
次にアダプタ５４が蓋本体７０に対して回転され（及び／又はその逆も同様である）、ロック構造３６２ａ、３６２ｂの各々を保持構造２５２ａ、２５２ｂのうちの対応する保持構造と係合させる。例えば図１７Ａ〜図１７Ｃに識別されている第１の保持構造２５２ａ及び第１のロック構造３６２ａを参照すると、第１のロック構造３６２ａの第１の端部４２０が第１の保持構造２５２ａの入口端３１０で捕獲領域３１４に接近し、次に捕獲領域３１４に入るよう、アダプタ５４を回転させることができる（例えば時計回りに）。アダプタ５４のトラック面３６４と蓋本体７０の案内表面２６０の間（例えば図１７Ｄの場合のように第１のトラックセグメント３９０ａの傾斜領域３９６と第１の案内セグメント２６２ａの傾斜領域２６８の間）の摺動境界面、及び対応するらせん様の形状により、アダプタ５４が回転されると、アダプタ５４は、第１のロック構造３６２ａが第１の保持構造２５２ａの入口端３１０に近づくと、第１のロック構造２６２ａの第１の端部４２０が入口端３１０で捕獲領域３１４と整列するよう、保持構造２５２ａ、２５２ｂに対して垂直方向に降下すなわち下降する。例えば図１８Ａ〜図１８Ｃは、蓋本体７０に対するアダプタ５４のもっと後の回転段階を示している。図１８Ｃの断面図に示されているように、第１のロック構造３６２ａの第１の端部４２０は、第１の保持構造２５２ａの捕獲領域３１４に入っている。この点に関して、上で説明したようにロック構造３６２ａの第１の端部４２０の低い高さ、及び入口端部３１０における捕獲領域３１４の高い高さにより、ロック構造３６２ａは、ロック構造３６２ａの上面４２６と保持構造タブ３０２の係合表面３２２の間の最小の干渉で捕獲領域３１４に容易に導かれる。
【０１０４】
蓋本体７０に対するアダプタ５４の継続的な回転（及び／又はその逆も同様である）により、個々のロック構造３６２ａ、３６２ｂは、保持構造２５２ａ、２５２ｂのうちの対応する１つの捕獲領域３１４内で摩擦的かつ機械的にロックされるようになる。図１９Ａ〜図１９Ｃは、貯蔵容器５２及びアダプタ５４のロック状態を示したものである。アダプタ５４のトラック面３６４（概略的に参照されている）は、案内表面２６０に対して、かつ、案内表面２６０に沿って更に回転しており、保持構造２５２ａ、２５２ｂのうちの対応する保持構造内のロック構造３６２ａ、３６２ｂのより完全な係合を達成している。更に、アダプタ５４のアンダーカット３９２ａ、３９２ｂは、蓋本体７０のアンダーカット２６４ａ、２６４ｂと噛合係合されている。例えば図１９Ｃの図では、当接境界面は、アダプタの第２のアンダーカット３９２ｂのフィンガー４００と蓋本体の第１のアンダーカット２６４ａのショルダー２９０の間で達成されている。この境界面は、蓋本体７０に対するアダプタ５４の過回転を防止し（及び／又はその逆も同様である）、接続アセンブリを安定化させるように働く。
【０１０５】
図１９Ｄの断面図は、第１の保持構造２５２ａの捕獲領域３１４（概略的に参照されている）内に留まった第１のロック構造３６２ａを示したもので、ロックセクション４４２の形状及び空間配置方向が、くさび化セクション３３０に沿った捕獲領域３１４の形状及び空間配置方向を模倣することを反映している。ロック状態では、ロック構造３６２ａの当接面４２４は、蓋本体の案内表面２６０のリードイン領域２６６にもたれかかり、ロック構造３６２ａの上面４２６のロックセクション４４２は、タブ３０２の係合表面３２２のくさび化セクション３３０にもたれかかる。回転軸に対して直角の平面に対して、案内表面及び係合表面２６０、３２２の下向きの角度配置方向、並びにくさび化セクション３３０に沿った当接面及び上面４２４、４２６の下向きの角度配置方向は、ロック構造３６２ａが捕獲領域３１４を通って漸進的に前進する（すなわちロック構造３６２ａの第１の端部４２０が保持構造２５２ａの入口端３１０から漸進的に前進する）際に、アダプタ５４が蓋本体７０の上に下向きに引っ張られ、すなわち下向きに引かれ（図１９Ｄの向きに対して）、構成要素どうし間の液密封止を促進することを示す。例えば非限定的ないくつかの実施形態では、噴出孔７２の環状封止リブ３４０（図１４Ｂ）とアダプタ５４の内面３８０（図１５Ｅ）の間、噴出孔封止表面３４２（図１４Ｂ）とアダプタ封止表面３８４（図１５Ｅ）の間、等々に封止部を確立することができる。噴出孔封止表面３４２及びアダプタ封止表面３８４は、システムがロックされると、干渉及び封止するように設計された相補的構成を有する。クリアランスセクション３３２に沿った捕獲領域３１４の高さを出口端３１２まで拡張することにより、第１の端部４２０の通過を容易に許容し、組み立てを容易にすることができる。
【０１０６】
図２に戻ると、第２の相補接続形式７６は、アダプタ５４に加えて、あるいはアダプタ５４の代わりに、貯蔵容器システム５０などの本開示の貯蔵容器システム及びキットを任意選択で備えることができる他のアダプタ構成に組み込むことができる。例えば本開示の貯蔵容器システム及びキットに対して有用なアダプタ５００の別の実施形態が図２０に示されている。アダプタ５００は、第２の接続形式７６’（概略的に参照されている）、管状部材５０２及び対向する第１及び第２のクリップ５０４ａ、５０４ｂを含む。
【０１０７】
第２の接続形式７６’は、第２の接続形式７６（図１５Ａ）ときわめて類似していてもよく、基部３６０’、第１のロック構造３６２ａ、第２のロック構造（図２０では隠れているが、図１５Ａでは３６２ｂで示されている）、及びトラック面３６４（概略的に参照されている）を含む。ロック構造３６２ａ、３６２ｂ及びトラック面３６４は、上記の説明と全く同じであってもよい。基部３６０’は、基部３６０（図１５Ａ）に関連した上記の説明ときわめて類似していてもよい。基部３６０’は、基部３６０と比較して異なる外部輪郭すなわち形状を有し、必ずしもインセットすなわち凹部４５０（図１５Ａ）を形成する必要はない。更に、基部３６０’は、管状部材５０２の周りに封止表面５０８を画定する。
【０１０８】
管状部材５０２は、スプレーガンの入口ポートへの接続を確立するためなど、従来のスプレーガン貯蔵容器アダプタと同類の特徴を含むか、あるいは提供することができる。これを念頭に置いて、管状部材５０２は様々な形態を取ることができ、中央通路５１０を画定する。通路５１０は、管状部材５０２の前端５１２で開いている。更に、管状部材５０２は、任意選択で、スプレーガン入口ポートへの封止接続を容易にする特徴を形成又は提供する。例えば前端５１２に隣接する管状部材５０２の外部に沿って、スプレーガン入口ポートの内部表面との封止境界面を形成するように構成されたリブ５１４を提供することができる。
【０１０９】
クリップ５０４ａ、５０４ｂは全く同じであってもよく、それぞれ管状部材５０２の両側で基部３６０’から突出している。個々のクリップ５０４ａ、５０４ｂはヘッド５２０で終端し、管状部材５０２から半径方向に間隔を隔てた係合表面５２２を画定する。ラッチ表面５２４は、ヘッド５２０及び係合表面５２２の交点に画定される。ラッチ表面５２４と封止表面５０８の間の長手方向の距離は、対向する係合表面５２２どうしの間の横断距離と同様、スプレーガン入口ポートにおける幾何構造特徴と対応する。例えば図２１Ａは、アダプタ５００を入口ポート５３０及びスプレーガンの噴霧ノズルアセンブリ５３２（概略的に参照されている）と共に示したものである。入口ポート５３０は、入口管５３４及びコネクタアセンブリ５３６を含む。入口管５３４は、噴霧ノズルアセンブリ５３２の出口５３８に流体接続される。アダプタ５００の管状部材５０２の外径は、入口管５３４の内径と対応する。コネクタアセンブリ５３６は、様々な形態を取ることができ、いくつかの実施形態では、入口管５３４から半径方向に突出する第１及び第２のフランジ５４０、５４２を含む。フランジ５４０、５４２は、示されているように可変周囲形状すなわち外径を有することができる。クリップ５０４ａ、５０４ｂの係合表面５２２どうしの間の横断距離は、周囲の形状が変化するフランジの最小外径より大きく、かつ、最大外径より小さくなるように選択される。更に、クリップ５０４ａ、５０４ｂの各々の封止表面５０８とラッチ表面５２４の間の長手方向の距離は、フランジ５４０、５４２の対向する面どうしの間の長手方向の間隔に近似するように選択される。
【０１１０】
上記の構造によれば、アダプタ５００は、管状部材５０２が入口管５３４と整列し、かつ、クリップ５０４ａ、５０４ｂがフランジ５４０、５４２の周囲形状の小さい直径部分と整列するよう、アダプタ５００を最初に空間配置することによって入口ポート５３０に接続することができる。次に管状部材５０２を入口管５３４に挿入することができ、クリップ５０４ａ、５０４ｂはフランジ５４０、５４２を「貫通」する。次にアダプタ５００が入口ポート５３０に対して回転され、それにより図２１Ｂのようにクリップ５０４ａ、５０４ｂがフランジ５４０、５４２と係合する。図２１Ｂの取り付けられた構造では、管状部材５０２（図２１Ａ）は入口管５３４内で流体封止され、フランジ５４０、５４２は、封止表面５０８（図２０）に当接する第１のフランジ５４０、及びクリップ５０４ａ、５０４ｂの各々のラッチ表面５２４（図２０）に当接する第２のフランジを含むクリップ５０４ａ、５０４ｂによって頑丈に捕獲される。更に、フランジ５４０、５４２の周囲は、クリップ５０４ａ、５０４ｂの係合表面５２２（図２１Ａ）にもたれかかり、固着された接続としてより良好に確保する。
【０１１１】
他のスプレーガン入口ポート接続形式をアダプタ５００に組み込むことができる。それにもかかわらず、アダプタ５００の貯蔵容器接続特徴（例えば第２の接続形式７６’）は、上記の説明に従って、概ね図２２に反映されているように、固着されたアセンブリを貯蔵容器５２に提供する。
【０１１２】
上で説明した接続形式のうちの１つ以上（例えば第２の接続形式７６、７６’）は、本開示の原理に従って他のスプレーガン貯蔵容器システム構成要素に組み込むことができる。例えば本開示の原理によるノズルユニット５５０は、図２３Ａ及び図２３Ｂに示されており、スプレーガン（例えば上で説明したスプレーガン３２（図１））の部品として提供することができる。ノズルユニット５５０は、入口ポート５５２及び噴霧ノズルアセンブリ５５４（概略的に参照されている）を含む。入口ポート５５２は、入口管５５６及び第２の接続形式７６’（概略的に参照されている）を含む。入口管５５６は、噴霧ノズルアセンブリ５５４の出口５５８に流体接続される。第２の接続形式７６’は、基部３６０’、第１のロック構造３６２ａ、第２のロック構造３６２ｂ及びトラック面３６４を含む、上で説明した構造を有することができる。したがってノズルユニット５５０を備えた第２の接続形式７６’は、本開示の貯蔵容器（貯蔵容器５２（図２）など）に直接接続するように構成される。これらの実施形態によれば、スプレーガン入口ポート５５２は、スプレーガン貯蔵容器システムの構成要素又は部品であると見なすことができる。
【０１１３】
本開示の原理によるスプレーガンノズルユニット５７０の別の実施形態は図２４Ａ及び図２４Ｂに示されており、スプレーガン（例えば上で説明したスプレーガン３２（図１））の部品として提供することができる。ノズルユニット５７０は、入口ポート５７２及び噴霧ノズルアセンブリ５７４（概略的に参照されている）を含む。入口ポート５７２は、入口管５７６及び第２の接続形式７６’（概略的に参照されている）を含む。入口管５７６は、噴霧ノズルアセンブリ５７４の出口５７８に流体接続される。第２の接続形式７６’は、基部３６０’、第１のロック構造３６２ａ、第２のロック構造３６２ｂ及びトラック面３６４を含む、上で説明した構造を有することができる。したがってノズルユニット５７０を備えた第２の接続形式７６’は、本開示の貯蔵容器（貯蔵容器５２（図２）など）に直接接続するように構成される。これらの実施形態によれば、スプレーガン入口ポート５７２は、スプレーガン貯蔵容器システムの構成要素又は部品であると見なすことができる。
【０１１４】
貯蔵容器システム（例えば図２の貯蔵容器システム５０）は、１つ以上の追加補助構成要素を含むことができ、貯蔵容器システムキットとして提供することができる。例えば本開示の貯蔵容器システム及びキットに対して有用な任意選択のプラグ６００が図２５Ａ及び図２５Ｂに示されている。プラグ６００は、プラグ本体６０２及びリップ６０４を含むか、あるいは画定する。プラグ本体６０２は、閉端６０６及び側壁６０８を有する。側壁６０８は、閉端６０６から突出し、例えば挿入時に噴出孔と共に封止部を達成するのに適した貯蔵容器噴出孔（例えば蓋本体噴出孔７２（図７））の直径に応じて、対応する貯蔵容器の特徴に従って選択されるプラグ本体６０２の直径を画定する。いくつかの実施形態では、側壁６０８は、階段状外径、例えば第１の領域６１０に沿った第１の直径に沿った第１の直径、及び第２の領域６１２に沿った第２の直径を有することができる。第２の領域６１２に沿った直径は、例えば貯蔵容器噴出孔に封止された境界面を提供するように選択される第１の領域６１０の直径より大きくすることができる。この構造によれば、プラグ６００は、逆さまの貯蔵配置方向を含む貯蔵容器（中に貯蔵されたペイント又は他の液体を含む）の一時的な封止及び保護を可能にする方法で、貯蔵容器噴出孔の中に挿入し、かつ、貯蔵容器噴出孔に対して封止することができる。第１の領域６１０又は第２の領域６１２に沿った直径は、対応する貯蔵容器システム又はキットの他の構成要素との境界面を形成するように選択することができ、例えばシステム（例えばアダプタ管状部材３５０（図１５Ａ））を備えたアダプタの構成要素との封止された境界面を提供する。他の幾何構造特徴も同じく許容可能である。
【０１１５】
リップ６０４は、閉端６０６の反対側のプラグ本体６０２から半径方向に外側に突出し、使用者が握るための表面を提供する。いくつかの実施形態では、リップ６０４は、１つ以上のタブ６１４を画定するようにサイズ決めされ、かつ、形状化される。一実施形態では、リップ６０４は、図２５Ｂに最も良好に示されているように、全く同じように形状化され、かつ、等距離で間隔を隔てた正確に３つのタブ６１４を形成する。タブ６１４は、貯蔵容器システム構成要素に挿入されると、使用者によるプラグ６００の把持を容易にする。更に、プラグ６００が貯蔵容器５２に固着され、かつ、貯蔵容器５２が図２６のように逆さまの向きで保管され、３つの等距離で間隔を隔てたタブ６１４が提供される実施形態では、タブ６１４は、逆さまの位置にある貯蔵表面６１６に対して貯蔵容器５２を容易に支持することができる。
【０１１６】
プラグ６００は、貯蔵容器５２、アダプタ５４（図２）、等々との緊密な封止を達成するために、適切な様々な材料で形成することができる（プラグ６００の幾何構造特徴と相俟って）。例えば非限定的ないくつかの実施形態では、プラグ６００は低密度ポリエチレンであるか、あるいは低密度ポリエチレンを含む。
【０１１７】
本開示の貯蔵容器システム（例えば図２の貯蔵容器システム５０）及びキットと共に含むことができる別の任意選択の補助構成要素は、図２７Ａ及び図２７Ｂに示されているシェーカーコア７００である。参考として、使用者は、工業型「シェーカー」マシンを使用して、貯蔵容器（図２の貯蔵容器５２など）内に貯蔵されたペイントを混合することを希望し得る。ほとんどのシェーカーマシンは、動作中に貯蔵容器を所定の位置に保持するためのクランプシステム又はデバイスを使用している。この点に関して、シェーカーコア７００は、シェーカーマシンによって印加されるクランプ力を分配するように働く貯蔵容器に一時的に組み立てられる。これを念頭に置いて、シェーカーコア７００は、通常、第１の端部表面７０２（図２７Ｂに最も良好に示されている）と、反対側の第２の端部表面７０４（図２７Ａに最も良好に示されている）の間を延びている円筒状のボディであり、中央リング７０６を含むか、あるいは画定する。リング７０６を長手方向に支持するために、１つ以上のリブ７０８が任意選択で提供される。端部表面７０２、７０４は、それぞれ、シェーカーマシンクランプデバイスとの係合に適した表面を提供するように構成される。第１の端部表面７０２は、第１の端部セクション７１０（概略的に参照されている）の部品として提供され、第２の端部表面７０４は、第２の端部セクション７１２（概略的に参照されている）の部品として提供される。いくつかの実施形態では、端部セクション７１０、７１２の各々は、貯蔵容器に組み立てるように構成された整合特徴を含み、第１の端部セクション７１０の整合特徴は、シェーカーコア７００が別様に構成された貯蔵容器と相俟って有用であるよう、第２の端部セクション７１２の整合特徴とは異なっている（例えば寸法に関して）。シェーカーコア７００は、シェーカーマシンと共に利用される場合、シェーカーコア７００の構造的完全性を維持するのに適した様々な材料で形成することができる。非限定的ないくつかの実施形態では、例えばシェーカーコア７００は、アクリロニトリルブタジエンスチレン（ＡＢＳ）であるか、又はアクリロニトリルブタジエンスチレン（ＡＢＳ）を含む。
【０１１８】
例えば図２８を更に参照すると、第１の端部セクション７１０は、環状ショルダー７２０、スカート７２２及び１つ以上のキーボディ７２４を含むか、あるいは画定する。環状ショルダー７２０は、中央リング７０６から半径方向に外側に突出し、中央リング７０６の内部表面及び環状ショルダー７２０が相俟ってレッジ７２６（図２７Ｂに最も良好に示されている）を画定する。スカート７２２は、環状ショルダー７２０から長手方向に、中央リング７０６とは反対側に突出し、第１の端部表面７０２で終端する。キーボディ７２４は、それぞれレッジ７２６に沿ってスカート７２２から半径方向内側に突出する。いくつかの実施形態では、４つのキーボディ７２４が提供され、レッジ７２６の円周の周りに等距離で間隔を隔てている。任意の他の数及び空間配置も同じく許容可能である。それにもかかわらず、第１の端部セクション７１０の幾何構造特徴（例えばスカート７２２、レッジ７２６及び／又はキーボディ７２４のサイズ及び／又は形状）は、貯蔵容器５２（図２）などの貯蔵容器の対応する特徴との頑丈な境界面を促進するように構成することができる。
【０１１９】
例えば図２９Ａは、貯蔵容器５２に対するシェーカーコア７００を示したものである。シェーカーコア７００の第１の端部セクション７１０は、貯蔵容器５２の蓋６２との境界面を形成するように構成される。スカート７２２の内径は、蓋６２、詳細にはカラー６８の最大外径と近似する（例えばそれに等しいか、あるいはそれよりわずかに大きくなる）ように選択される。カラー６８がタブ１４４を含み、タブ１４４がそれぞれ外部リブ１６８のうちの１つ以上を含むか、あるいは提供する実施形態では、スカート７２２の内径は、タブリブ１６８によって集合的に画定される直径に近似する。この構造によれば、第１の端部セクション７１０を蓋６２の上に置くことができ、スカート７２２の内側の表面は、リブ１６８に嵌合するか、あるいはきわめて近接する。キーボディ７２４は、カラーノッチ１５８のサイズ、形状及び位置に応じてサイズ決めし、形状化し、かつ、円周方向に配置することができる。したがって蓋６２の上への第１の端部セクション７１０の組み立ては、ノッチ１５８のうちの対応するノッチ１５８内に入れ子になっているキーボディ７２４の各々を含む。そのように配置されると、レッジ７２６はカラー６８にもたれかかり、カラー６８に対するシェーカーコア７００の回転運動（及びその逆も同様である）は、キーボディ７２４とカラー６８の間の境界面によってあからさまに制限される。いくつかの実施形態では、対応するノッチ１５８におけるキーボディ７２４とカラー６８の間に摩擦嵌めが提供される。それにもかかわらず、レッジ７２６から第２の端部表面７０４までのシェーカーコア７００の高さ、すなわち長手方向の寸法は、カラー６８から噴出孔７２までの蓋６２の高さ、すなわち長手方向の寸法より大きくなるように選択される。この構造によれば、図２９Ｂによって反映されているように、第１の端部セクション７１０が上で説明したように蓋６２に接続されるか、あるいは蓋６２に取り付けられると、第２の端部表面７０４は、シェーカーマシンクランプデバイス（図示せず）といつでも係合するよう、長手方向に噴出孔７２を越える。更に、図２９Ｂのようにカラー６８（図２９Ａ）に「キーを取り付ける」際に、カラー６８をカップレセプタクル６０から緩めるか、あるいはねじを緩めるのに役に立つツールとしてシェーカーコア７００は使用することができる。例えばカップレセプタクル６０／カラー６８の境界面の間にペイント又は他の残留物が存在する場合、カラー６８を直接把持した場合に、使用者がカラー６８に十分な力すなわちトルクを印加することは困難であり得る。これらの状況下では、シェーカーコア７００は、示されているようにカラー６８に接続することができ、把持及びそれに引き続く十分な手動緩み力すなわちトルクの印加のためのより広い表面積を提供する。図２９Ｃは、シェーカーコア７００が上で説明したように貯蔵容器５２に接続され、かつ、任意選択のプラグ６００が同じく提供され、上記の説明に従って貯蔵容器５２に封止される、本開示の関連する実施形態システムを示したものである。
【０１２０】
図２７Ａ〜図２８に戻ると、第２の端部セクション７１２は、任意選択で、例えば寸法に関して貯蔵容器５２（図２）とは異なる貯蔵容器に組み立てるように構成される。第２の端部セクション７１２は、スカート７３０、レッジ７３２及び１つ以上のキーボディ７３４を含むことができる。スカート７３０は、中央リング７０６から長手方向に突出し、第２の端部表面７０４で終端する。スカート７３０は、示されているように断続的な構造を有することができ、あるいは円周方向に非遮断の連続ボディであってもよい。それにもかかわらず、スカート７３０の内径は、中央リング７０６の内径より小さい。レッジ７３２は、中央リング７０６の近傍のスカート７３０から半径方向内側に突出する。レッジ７３２は、示されているように断続的な構造を有することができ、あるいは円周方向に非遮断の連続ボディであってもよい。キーボディ７３４は、それぞれレッジ７３２に沿ってスカート７３０から半径方向内側に突出する。いくつかの実施形態では、４つのキーボディ７３４が提供され、レッジ７３２の円周の周りに等距離で間隔を隔てている。任意の他の数及び空間配置も同じく許容可能である。それにもかかわらず、第２の端部セクション７１０の幾何構造特徴（例えばスカート７３０、レッジ７３２及び／又はキーボディ７３４のサイズ及び／又は形状）は、貯蔵容器の対応する特徴との頑丈な境界面を促進するように構成することができる。
【０１２１】
例えば図３０Ａは、本開示の原理による、貯蔵容器５２’に対するシェーカーコア７００を示したものである。貯蔵容器５２’は、上で説明した貯蔵容器５２（図２）ときわめて類似しているが、寸法を小さくすることができる。したがって貯蔵容器５２’は、カラー６８’を有する蓋６２’を含む。前の説明と同様、カラー６８’はタブ１４４’を含み、ノッチ１５８’を形成する。外部リブ１６８’は、任意選択でタブ１４４’の各々の上に提供される。これらの説明を念頭に置いて、シェーカーコア７００の第２の端部セクション７１２は、貯蔵容器５２’の蓋６２’との境界面を形成するように構成される。スカート７３０の内径は、カラー６８’の最大外径（例えばタブリブ１６８’によって集合的に画定される直径）に近似する（例えばそれに等しいか、あるいはそれよりわずかに大きくなる）ように選択される。この構造によれば、第２の端部セクション７１２を蓋６２’の上に置くことができ、スカート７３０の内側の表面は、リブ１６８’に嵌合するか、あるいはリブ１６８’にきわめて近接する。キーボディ７３４は、カラーノッチ１５８’のサイズ、形状及び位置に応じてサイズ決めし、形状化し、かつ、円周方向に配置することができる。したがって蓋６２’の上への第２の端部セクション７１２の組み立ては、前の説明と同様の方法で、ノッチ１５８’のうちの対応するノッチ１５８’内で入れ子になっているキーボディ７３４の各々を含む。そのように配置されると、レッジ７３２はカラー６８’にもたれかかり、カラー６８’に対するシェーカーコア７００の回転運動（及びその逆も同様である）は、あからさまに過度に制限される。レッジ７３２から第１の端部表面７０２までのシェーカーコア７００の高さ、すなわち長手方向の寸法は、カラー６８’から噴出孔７２’までの蓋６２’の高さ、すなわち長手方向の寸法より大きくなるように選択される。この構造によれば、図３０Ｂに反映されているように、第２の端部セクション７１２が上で説明したように蓋６２’に接続又は取り付けられると、第１の端部表面７０２は、シェーカー機マシンクランプデバイス（図示せず）といつでも係合するよう、長手方向に噴出孔７２’を越える。図には示されていないが、任意選択でプラグ６００（図２５Ａ）を提供し、噴出孔７２’に封止することができる。
【０１２２】
貯蔵容器５２（図２）と比較してより小さい外部寸法を有すること以外に、貯蔵容器５２’は、プラグ６００及びシェーカーコア７００に加えて、本開示の他の貯蔵容器システム構成要素と適合する。例えば貯蔵容器５２’は、上記の説明と全く同じ第１の接続形式７４を組み込むことができ、図３１Ａに示されるアダプタ５４及び／又は図３１Ｂに示されているアダプタ５００との結合を容易にすることができる。
【０１２３】
本開示で説明されている相補接続形式のうちのいずれかは、対応する蓋の残りの部分と一体に形成することができる。別法として、これらの構成要素は、最初に、例えば参照によりその教示全体が本明細書に組み込まれているＷＯ２０１７／１２３７０９に記載されているように、蓋の残りの部分への接続を許容する接続幾何構造を備えた個別のモジュール式部品又はアセンブリとして形成することができる。
【０１２４】
本開示のスプレーガン貯蔵容器システムは、先行する設計に対して顕著な改善を提供する。システムの貯蔵容器とアダプタ構成要素の間の頑丈な封止接続は、きわめて直感的な方法で使用者によっていつでも容易に達成される。他の任意選択のシステム構成要素は、互いに適合性があり、所望の方法で貯蔵容器の使用及び貯蔵を促進する。
【０１２５】
本開示について、好ましい実施形態を参照して説明したが、当業者は、本開示の趣旨及び範囲を逸脱することなく、形態及び細部に変更を加えることができることを認識するであろう。
【図１】
2020513312.tif 000003
【図２】
2020513312.tif 000004
【図３】
2020513312.tif 000005
【図４】
2020513312.tif 000006
【図５】
2020513312.tif 000007
【図６Ａ】
2020513312.tif 000008
【図６Ｂ】
2020513312.tif 000009
【図７】
2020513312.tif 000010
【図８Ａ】
2020513312.tif 000011
【図８Ｂ】
2020513312.tif 000012
【図９Ａ】
2020513312.tif 000013
【図９Ｂ】
2020513312.tif 000014
【図９Ｃ】
2020513312.tif 000015
【図９Ｄ】
2020513312.tif 000016
【図１０Ａ】
2020513312.tif 000017
【図１０Ｂ】
2020513312.tif 000018
【図１０Ｃ】
2020513312.tif 000019
【図１１】
2020513312.tif 000020
【図１２】
2020513312.tif 000021
【図１３】
2020513312.tif 000022
【図１４Ａ】
2020513312.tif 000023
【図１４Ｂ】
2020513312.tif 000024
【図１４Ｃ】
2020513312.tif 000025
【図１５Ａ】
2020513312.tif 000026
【図１５Ｂ】
2020513312.tif 000027
【図１５Ｃ】
2020513312.tif 000028
【図１５Ｄ】
2020513312.tif 000029
【図１５Ｅ】
2020513312.tif 000030
【図１５Ｆ】
2020513312.tif 000031
【図１６】
2020513312.tif 000032
【図１７Ａ】
2020513312.tif 000033
【図１７Ｂ】
2020513312.tif 000034
【図１７Ｃ】
2020513312.tif 000035
【図１７Ｄ】
2020513312.tif 000036
【図１８Ａ】
2020513312.tif 000037
【図１８Ｂ】
2020513312.tif 000038
【図１８Ｃ】
2020513312.tif 000039
【図１９Ａ】
2020513312.tif 000040
【図１９Ｂ】
2020513312.tif 000041
【図１９Ｃ】
2020513312.tif 000042
【図１９Ｄ】
2020513312.tif 000043
【図２０】
2020513312.tif 000044
【図２１Ａ】
2020513312.tif 000045
【図２１Ｂ】
2020513312.tif 000046
【図２２】
2020513312.tif 000047
【図２３Ａ】
2020513312.tif 000048
【図２３Ｂ】
2020513312.tif 000049
【図２４Ａ】
2020513312.tif 000050
【図２４Ｂ】
2020513312.tif 000051
【図２５Ａ】
2020513312.tif 000052
【図２５Ｂ】
2020513312.tif 000053
【図２６】
2020513312.tif 000054
【図２７Ａ】
2020513312.tif 000055
【図２７Ｂ】
2020513312.tif 000056
【図２８】
2020513312.tif 000057
【図２９Ａ】
2020513312.tif 000058
【図２９Ｂ】
2020513312.tif 000059
【図２９Ｃ】
2020513312.tif 000060
【図３０Ａ】
2020513312.tif 000061
【図３０Ｂ】
2020513312.tif 000062
【図３１Ａ】
2020513312.tif 000063
【図３１Ｂ】
2020513312.tif 000064
【国際調査報告】
2020513312.tif 000065
2020513312.tif 000066
2020513312.tif 000067
2020513312.tif 000068
2020513312.tif 000069
2020513312.tif 000070